(57)【特許請求の範囲】
【請求項１】
遊技球が打ち込まれる遊技領域が正面側に形成される遊技部品を備える遊技機において、
前記遊技部品の背面側に配設される配設部品と、
前記遊技部品の背面視で当該背面内の所定方向を回動軸として前記配設部品を回動可能に支持する回動支持機構と、
を備え、
前記回動支持機構は、
前記配設部品を、前記遊技部品の背面側に取り付けた取付位置と、この取付位置よりも前記遊技部品の背面側から離間させた離間位置とにスライド変位可能なスライド変位機構部と、
前記取付位置の前記配設部品を取付姿勢で支持する支持部と、
前記取付位置よりも前記離間位置の方が前記配設部品の回動阻止力を小さくした回動阻止力変更部と
を備えていることを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、遊技球が打ち込まれる遊技領域を正面側に有する遊技盤と、この遊技盤の正面視で略中央箇所に形成された開口部に表示画面が位置するように当該遊技盤の背面側に設けられた、識別情報を変動表示する表示装置とを備え、遊技盤の開口部を通じて表示装置の変動表示が視認可能とされている。また、遊技盤の背面側には、配設部品（例えば、遊技に関する制御を行う制御装置）が、当該遊技盤の背面視で左辺側を回動軸として横方向に回動可能に取り付け支持されている。このように制御装置を開状態にすることで、閉状態の制御装置での遊技盤と対向する面を目視確認をすることができる（例えば、特許文献１参照）。
【特許文献１】特開２００９−６０９５５号公報（第２頁，第９図）
【発明の開示】
【発明が解決しようとする課題】
【０００３】
しかしながら、このような構成を有する従来例の場合には、次のような問題がある。
すなわち、従来のパチンコ機では、例えば、制御装置は遊技盤または遊技盤側部品と係合する係合部を備え、制御装置を閉状態にすると、制御装置の係合部が遊技盤または遊技盤側部品に係合し、制御装置が遊技盤の背面に閉状態で保持されるものがある。そして、制御装置を開状態にする場合には、その係合力を上回る力で開かなければならないので、制御装置を楽に開放することができない。
【０００４】
だからと言って、前記係合部としてその係合力の弱いものを採用すると、ふとした弾みなどで制御装置が開状態となることがあり、制御装置を閉状態に維持できなくなる。
【０００５】
また、制御装置の係止を解除した状態でこの制御装置から作業者が手を離してしまうと、制御装置の重心位置が回動軸よりも回動側（遊技部品の後方位置）に位置している場合にはその自重等で開いて他の部品に接触や衝突などして、制御装置や他の部品が損傷してしまうという問題もある。
【０００６】
本発明は、このような事情等に鑑みてなされたものであって、配設部品の閉状態を保持できつつ、配設部品を容易に開状態にできる遊技機を提供することを目的とする。
【課題を解決するための手段】
【０００７】
この発明は、このような目的を達成するために、次のような構成をとる。
すなわち、請求項１に記載の発明は、
遊技球が打ち込まれる遊技領域が正面側に形成される遊技部品を備える遊技機において、
前記遊技部品の背面側に配設される配設部品と、
前記遊技部品の背面視で当該背面内の所定方向を回動軸として前記配設部品を回動可能に支持する回動支持機構と、
を備え、
前記回動支持機構は、
前記配設部品を、前記遊技部品の背面側に取り付けた取付位置と、この取付位置よりも前記遊技部品の背面側から離間させた離間位置とにスライド変位可能なスライド変位機構部と、
前記取付位置の前記配設部品を取付姿勢で支持する支持部と、
前記取付位置よりも前記離間位置の方が前記配設部品の回動阻止力を小さくした回動阻止力変更部と
を備えていることを特徴とするものである。
【０００８】
［作用・効果］請求項１に記載の発明によれば、遊技部品は、その正面側に、遊技球が打ち込まれる遊技領域が形成され、その背面側に配設部品が配設される。配設部品は、回動支持機構によって、遊技部品の背面視で当該背面内の所定方向を回動軸として回動可能に支持されている。スライド変位機構部は、配設部品を、遊技部品の背面側に取り付けた取付位置と、この取付位置よりも前記遊技部品の背面側から離間させた離間位置とにスライド変位可能である。支持部は、取付位置の配設部品を取付姿勢で支持するので、配設部品の閉状態を保持できる。また、作業者が取付位置の配設部品から手を離してもこの配設部品が回動することがなく、取付位置の配設部品が回動することに起因する配設部品及び他の部品の損傷を低減できる。
【０００９】
さらに、配設部品の回動阻止力は、配設部品が取付位置にあるときよりも離間位置にあるときの方が小さいので、離間位置では取付位置よりも小さい力で配設部品を回動させることができ、配設部品を離間位置に移動させて当該離間位置で回動させる方が取付位置よりも回動させ易く、配設部品を容易に開状態にできる。
【００１０】
また、スライド変位機構部は、配設部品を、離間位置から遊技部品の背面側の取付位置に変位させるので、取付位置の配設部品と遊技部品の背面側との間の隙間を低減することができ、かかる隙間を狙った不正行為を低減することができる。
【００１１】
また、配設部品を離間位置に移動させてから回動させるので、配設部品を例えば上下方向に回動させる構成の場合に、取付位置にある配設部品の上側に他の部品を近接配置したり、取付位置にある配設部品の下側に他の部品を近接配置したりすることができ、取付位置の配設部品の上側又は下側の隙間を低減することができ、上側又は下側の隙間を狙った不正行為も低減することができる。また、配設部品を例えば左右方向に回動させる構成の場合に、取付位置にある配設部品の左側に他の部品を近接配置したり、取付位置にある配設部品の右側に他の部品を近接配置したりすることができ、取付位置の配設部品の左側又は右側の隙間を低減することができ、左側又は右側の隙間を狙った不正行為も低減することができる。
【発明の効果】
【００１２】
この発明に係る遊技機によれば、配設部品の閉状態を保持できつつ、配設部品を容易に開状態にできる遊技機を提供することができる。
【図面の簡単な説明】
【００１３】
【図１】本発明の実施例１のパチンコ機の概略正面図である。
【図２】遊技盤の正面図である。
【図３】パチンコ機の背面図である。
【図４】パチンコ機の電気的構成を示すブロック図である。
【図５】第３図柄表示装置の表示内容を示す説明図である。
【図６】実施例１の遊技盤の背面右上から見た背面斜視図である。
【図７】実施例１の遊技盤を背面左上から見た背面斜視図である。
【図８】実施例１の遊技盤の背面図である。
【図９】実施例１の遊技盤の正面右上から見た分解斜視図である。
【図１０】実施例１の遊技盤の背面右上から見た分解斜視図である。
【図１１】取付台を構成するスペーサ部と集合通路盤と回動支持部品とを示す右上視斜視図である。
【図１２】スペーサ部が集合通路盤の下部側を回動軸として回動支持部品で回動支持される様子を示す右上視斜視図である。
【図１３】実施例１の遊技盤の背面左下から見た分解斜視図である。
【図１４】実施例１の遊技盤の背面右下から見た分解斜視図である。
【図１５】取付台を構成するスペーサ部と集合通路盤と回動支持部品とを示す右下視斜視図である。
【図１６】スペーサ部が集合通路盤の下部側を回動軸として回動支持部品で回動支持される様子を示す右下視斜視図である。
【図１７】取付台及び集合通路盤の回動軸部品の端部と係止部品との係止箇所を断面視した一部断面斜視図である。
【図１８】取付台及び集合通路盤の回動軸部品の端部と係止部品との係止箇所を断面視した一部断面図である。
【図１９】（ａ）は、主制御装置を開状態とし且つ取付台を集合通路盤に近接した近接位置にある状態を示す遊技盤の背面右下視斜視図、（ｂ）は、取付台を集合通路盤から引き出した引出位置にある状態を示す遊技盤の背面右下視斜視図である。
【図２０】（ａ）は、取付台を集合通路盤から引き出した引出位置にある状態を示す遊技盤の側面図、（ｂ）は、取付台を引出位置から回動させた状態を示す遊技盤の側面図である。
【図２１】（ａ）は、取付台を集合通路盤から引き出した引出位置にある状態を示す遊技盤の背面左上視斜視図、（ｂ）は、取付台を引出位置から回動させた状態を示す遊技盤の背面左上視斜視図である。
【図２２】（ａ）は、取付台を集合通路盤から引き出した引出位置にある状態を示す遊技盤の背面右上視斜視図、（ｂ）は、取付台を引出位置から回動させた状態を示す遊技盤の背面右上視斜視図である。
【図２３】（ａ）は、取付台を集合通路盤から引き出した引出位置にある状態を示す遊技盤の背面右下視斜視図、（ｂ）は、取付台を引出位置から回動させた状態を示す遊技盤の背面右下視斜視図である。
【図２４】取付台が反転した状態を示す遊技盤の背面右上視斜視図である。
【図２５】実施例２の遊技盤の背面図である。
【図２６】実施例２の遊技盤の背面右上から見た背面斜視図である。
【図２７】図２６の背面斜視図であって回動支持機構部を破線で示した図である。
【図２８】実施例２の遊技盤の正面右上から見た分解斜視図である。
【図２９】実施例２の遊技盤の背面右上から見た分解斜視図である。
【図３０】実施例２の遊技盤の背面左下から見た分解斜視図である。
【図３１】実施例２の遊技盤の背面右下から見た分解斜視図である。
【図３２】取付台を集合通路盤に近接させた近接位置にある状態を示す遊技盤の背面右上視斜視図である。
【図３３】取付台の取り付ける様子を示す図である。
【図３４】（ａ）〜（ｃ）は、回動支持機構部の組み立て手順を示す一部破断斜視図である。
【図３５】（ａ），（ｂ）は、図３４に続いての組み立て手順を示す一部破断斜視図である。
【図３６】（ａ）〜（ｃ）は、回動支持機構部の組み立て手順を示す要部縦断面図である。
【図３７】（ａ），（ｂ）は、図３６に続いての組み立て手順を示す要部縦断面である。
【図３８】（ａ）〜（ｃ）は、取付台の引き出し手順を示す背面右下視斜視図である。
【図３９】（ａ），（ｂ）は、取付台の反転手順を示す背面右下視斜視図である。
【図４０】（ａ），（ｂ）は、取付台の引き出し手順を示す縦断面図である。
【図４１】（ａ），（ｂ）は、取付台の反転手順を示す縦断面図である。
【図４２】（ａ），（ｂ）は、取付台の引き出し手順を示す一部破断斜視図である。
【図４３】（ａ），（ｂ）は、取付台の反転手順を示す一部破断斜視図である。
【図４４】取付台及び集合通路盤の側面図である。
【図４５】取付台及び集合通路盤の図４４に示したＡ−Ａ線断面図である。
【図４６】実施例３の遊技盤の正面右上から見た分解斜視図である。
【図４７】（ａ），（ｂ）は、回動支持機構部の組み立て手順を示す一部破断斜視図である。
【図４８】（ａ），（ｂ）は、図４７に続いての組み立て手順を示す一部破断斜視図である。
【図４９】（ａ），（ｂ）は、回動支持機構部の組み立て手順を示す要部縦断面図である。
【図５０】（ａ），（ｂ）は、図４９に続いての組み立て手順を示す要部縦断面である。
【発明を実施するための形態】
【００１４】
以下、パチンコ遊技機（以下、単に「パチンコ機」という）の各種の実施の形態を、図面に基づいて詳細に説明する。
【実施例１】
【００１５】
実施例１のパチンコ機を、図面に基づいて詳細に説明する。図１はパチンコ機１０の正面図であり、図２は、パチンコ機１０の遊技盤３０の正面図であり、図３は、パチンコ機１０の背面図である。図４は、パチンコ機１０の電気的構成を示すブロック図である。図５は、第３図柄表示装置４２の表示内容を示す説明図である。
【００１６】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００１７】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００１８】
内枠１２は、大別すると、その外形を形成する主要部材としての樹脂ベース（図示省略）と、この樹脂ベース（図示省略）に取り付けられる遊技盤３０（図２参照）とを備えている。また、内枠１２は、図１に示すように、樹脂ベース（図示省略）の前面側で片開き自在な前面枠セット１４を備えている。
【００１９】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００２０】
前面枠セット１４は、正面視左側で上下方向の開閉軸Ｊ１を軸心にして当該内枠１２に対して開閉自在に取り付けられている。言い換えれば、前面枠セット１４は、樹脂ベース（図示省略）に対して開閉自在となっている。
【００２１】
遊技盤３０（図２参照）は、その遊技領域３０ａを樹脂ベース（図示省略）の開口部に位置させるようにして当該樹脂ベースの背面側に着脱自在に取り付けられる。
【００２２】
ここで、もう少し詳細に前面枠セット１４について説明する。
【００２３】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００２４】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３と、に大別される。これらの下皿ユニット１３と上皿ユニット２１とガラス枠部２３とは、図示省略のベース板体の前面側各箇所にそれぞれ取り付けられて前面枠セット１４が構成されている。
【００２５】
下皿ユニット１３は、図１に示すように、前面枠セット１４の最下部箇所に位置するように、ネジ等の締結具によりベース板体（図示省略）の正面視で最下部箇所に固定されている。この下皿ユニット１３は、その前面側に、下皿１５と球抜きレバー１７と遊技球発射ハンドル１８とを備えている。
【００２６】
球受皿としての下皿１５は、下皿ユニット１３のほぼ中央部に設けられており、排出口１６より排出された遊技球が下皿１５内に貯留可能である。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。
【００２７】
遊技球発射ハンドル１８は、下皿１５よりも右方で手前側に突出して配設されている。遊技者による遊技球発射ハンドル１８の操作に応じて、遊技球発射装置３８によって遊技球が遊技盤３０（図２参照）の方へ打ち込まれる。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００２８】
上皿ユニット２１は、図１に示すように、前面枠セット１４の下部箇所（前述の下皿１５の上方位置）に位置するように、ネジ等の締結具によりベース板体（図示省略）の正面視で下部箇所に固定されており、遊技球の受皿としての上皿１９を備えている。ここで、上皿１９は、遊技球を一旦貯留し、一列に整列させながら遊技球発射装置３８の方へ導出するための球受皿である。
【００２９】
ガラス枠部２３は、図１に示すように、上皿ユニット２１の上側に形成された窓部１０１と、この窓部１０１の周囲に設けられた各種の電飾部とを備えている。
【００３０】
つまり、前面枠セット１４には、図１に示すように、上皿ユニット２１の上側に位置するガラス枠部２３の中央箇所に、遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の背面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００３１】
さらに、ガラス枠部２３は、図１に示すように、窓部１０１の周囲に各種の電飾部（第１電飾部３００、第２電飾部３０２及び第３電飾部３０４）を備えている。つまり、前面枠セット１４は、図１に示すように、その前面視した状態で窓部１０１の周囲で左箇所に、ＬＥＤ等を内蔵した第１電飾部３００（左側電飾部）を、窓部１０１の周囲で右箇所に、ＬＥＤ等を内蔵した第２電飾部３０２（右側電飾部）を、窓部１０１の周囲で上箇所に、ＬＥＤ等を内蔵した第３電飾部３０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００３２】
本パチンコ機１０では、第１電飾部３００、第２電飾部３０２及び第３電飾部３０４は、大当たりランプとして機能し、大当たり時に点灯や点滅を行うことにより、大当たり中であることを報知する。その他、本パチンコ機１０の第１電飾部３００及び第２電飾部３０２には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００３３】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００３４】
遊技盤３０は、図２に示すように、正面視で四角形状の木製（例えば、合板）でその左側の両角部が取れたような形状の遊技板３０ｂを備えており、その周縁部（後述するレール５１，５２の外側部分）が内枠１２の樹脂ベース（図示省略）の裏側に当接した状態で取着されており、この遊技盤３０の前面側の略中央部分たる遊技領域３０ａが樹脂ベースの略楕円形状の図１に示した窓部１０１（ガラス板１３７）を通じて前面枠セット１４の前方外側から視認可能な状態である。
【００３５】
次に、図２を用いて遊技盤３０の構成を説明する。遊技盤３０は、一般入賞口３１、可変入賞装置３２、始動入賞装置３３（例えば作動チャッカ）、第３の始動口３４（例えばスルーゲート）及び可変表示装置ユニット３５を備えている。これらの一般入賞口３１、可変入賞装置３２、始動入賞装置３３、第３の始動口３４及び可変表示装置ユニット３５は、遊技盤３０における、ルータ加工によって形成された各貫通穴にそれぞれに配設され、遊技盤３０前面側から木ネジ等により取り付けられている。一般入賞口３１、可変入賞装置３２、始動入賞装置３３に遊技球が入球し、当該入球が後述する検出スイッチ（図示省略の入賞口スイッチ、図示省略のカウントスイッチ、図示省略の作動口スイッチ）で検出され、この検出スイッチの出力に基づいて、上皿１９（または下皿１５）へ所定数の賞品球が払い出される。
【００３６】
また、始動入賞装置３３は、図２に示すように、上から順に、第１の始動口３３ａ（例えば作動チャッカ）と第２の始動口３３ｂ（例えば作動チャッカ）とが上下に配設された単一の入賞装置で構成されている。そして、上部側の第１の始動口３３ａには第１の始動口３３ａ用の図示省略の作動口スイッチ（通過検出スイッチ）が設けられ、この第１の始動口３３ａへの入球をその第１の始動口３３ａ用の図示省略の作動口スイッチにより検出される。また、下部側の第２の始動口３３ｂには第２の始動口３３ｂ用の図示省略の作動口スイッチ（通過検出スイッチ）が設けられ、この第２の始動口３３ｂへの入球をその第２の始動口３３ｂ用の作動口スイッチ（図示省略）により検出される。すなわち、上部側の第１の始動口３３ａへの遊技球の入球または下部側の第２の始動口３３ｂへの遊技球の入球のどちらの場合にも、それが始動入賞であることに変わりは無く、それらの入球を個別に検出できる。
【００３７】
その他に、図２に示すように、遊技盤３０にはアウト口３６が設けられており、各種入賞装置等に入球しなかった遊技球はこのアウト口３６を通って図示しない球排出路の方へと案内される。遊技盤３０には、遊技球の落下方向を適宜分散、調整等するために多数の釘が植設されているとともに、風車３７等の各種部材（役物）が配設されている。
【００３８】
可変表示装置ユニット３５は、第１の始動口３３ａ，第２の始動口３３ｂへの入賞をトリガとして、識別情報としての第１図柄（例えば特別図柄）を変動表示する第１図柄表示装置４０と、第３の始動口３４の通過をトリガとして、第２図柄（例えば普通図柄）を変動表示する第２図柄表示装置４１と、第１の始動口３３ａ，第２の始動口３３ｂへの入賞をトリガとして、第３図柄（例えば装飾図柄）を変動表示する第３図柄表示装置４２とを備えている。
【００３９】
第１図柄表示装置４０は、例えば、第１の始動口３３ａへの入球に基づいて変動発光等する複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃと、第２の始動口３３ｂへの入球に基づいて変動発光等する複数個（本実施例では２個）の２色発光タイプのＬＥＤ（発光ダイオード）４０ｄ，４０ｅと、このＬＥＤ４０ｄ，４０ｅでの変動表示の保留数を示す保留ランプ４０ｆとを備えている。
【００４０】
第１の始動口３３ａへの入球に基づいて変動発光等するＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００４１】
上記と同様に、第２の始動口３３ｂへの入球に基づいて変動発光等するＬＥＤ４０ｄ，４０ｅは、例えば、赤色と青色に発光可能なものである。第１図柄表示装置４０は、各ＬＥＤ４０ｄ，４０ｅの発光色を交互に変更させることで、第１図柄（本実施例では各ＬＥＤ４０ｄ，４０ｅの発光色態様）の変動表示状態を発生させ、例えば、両方のＬＥＤ４０ｄ，４０ｅが赤色発光状態で停止すると確変大当り（特定当り）を示し、両方のＬＥＤ４０ｄ，４０ｅが青色発光状態で停止すると通常大当り（非特定当り）を示し、両方のＬＥＤ４０ｄ，４０ｅが互いに異なる色の発光状態で停止すると外れを示す。
【００４２】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が識別情報変動表示手段に相当する。
【００４３】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第２の始動口３３ｂが所定時間だけ作動状態となる（開放される）よう構成されている。遊技球が第２の始動口３４を通過した回数は最大４回まで保留され、その保留回数が保留ランプ４１ｃにて点灯表示される。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が普通識別情報変動表示手段に相当する。
【００４４】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示される。なお本実施の形態では、第３図柄表示装置４２（液晶表示装置）は、例えば、１１インチサイズの大型の液晶ディスプレイを備える。可変表示装置ユニット３５には、正面視した状態で第３図柄表示装置４２の表示画面をほぼ囲むようにしてこの第３図柄表示装置４２の前方側にセンターフレーム４７が配設されている。本実施形態では第３図柄表示装置４２としてＬＣＤを採用するが他の種類の画像表示装置（例えば、ＰＤＰ：プラズマ・ディスプレイ・パネルや、ＥＬ：エレクトロ・ルミネッセンス・ディスプレイや、有機ＥＬなど）でもよい。なお、上述した第３図柄表示装置４２が装飾識別情報（図柄）変動表示手段に相当し、上述した表示制御装置４５が表示制御手段に相当する。
【００４５】
図２に示すように、可変入賞装置３２は、通常は遊技球が入賞できない又は入賞し難い閉状態になっており、大当りの際に遊技球が入賞しやすい開状態と通常の閉状態とに繰り返し作動されるものである。このように、大当りの際に可変入賞装置３２が開状態と通常の閉状態とに繰り返し作動される状態は、特定遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。つまり、本実施例のパチンコ機１０は、遊技球の投入数（遊技球発射装置３８による遊技球の遊技領域３０ａへの発射数）の方が、遊技球の賞球払出数（一般入賞口３１、可変入賞装置３２、始動入賞装置３３、第３の始動口３４などへの遊技球の入球に基づく賞球払出数）よりも多い通常遊技状態（遊技球消費状態）と、遊技球の賞球払出数の方が遊技球の投入数よりも多い特定遊技状態（例えば、大当り状態）とに状態変移可能なものである。
【００４６】
より詳しくは、第１の始動口３３ａに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特定遊技状態が発生する。例えば、両方のＬＥＤ４０ａ，４０ｂが赤色発光状態で停止するという発光態様の場合には、確変大当り（特定当り）の特定遊技状態に当選したことを示し、両方のＬＥＤ４０ａ，４０ｂが青色発光状態で停止するという発光態様の場合には、通常大当り（非特定当り）の特定遊技状態に当選したことを示し、両方のＬＥＤ４０ａ，４０ｂが互いに異なる色の発光状態で停止するという発光態様の場合には外れ（特定遊技状態に落選したこと）を示す。
【００４７】
上記と同様に、第２の始動口３３ｂに対し遊技球が入賞すると第１図柄表示装置４０の２個のＬＥＤ４０ｄ，４０ｅが変動表示され、その変動停止後のＬＥＤ４０ｄ，４０ｅの表示が予め設定した発光態様の組合せとなった場合に特定遊技状態が発生する。例えば、両方のＬＥＤ４０ｄ，４０ｅが赤色発光状態で停止するという発光態様の場合には、確変大当り（特定当り）の特定遊技状態に当選したことを示し、両方のＬＥＤ４０ｄ，４０ｅが青色発光状態で停止するという発光態様の場合には、通常大当り（非特定当り）の特定遊技状態に当選したことを示し、両方のＬＥＤ４０ｄ，４０ｅが互いに異なる色の発光状態で停止するという発光態様の場合には外れ（特定遊技状態に落選したこと）を示す。
【００４８】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。また、遊技球が第１の始動口３３ａを通過した回数は最大４回まで保留され、その保留回数が保留ランプ４０ｃにて表示される。また、遊技球が第２の始動口３３ｂを通過した回数も最大４回まで保留され、その保留回数が保留ランプ４０ｆにて表示される。なお、保留ランプ４０ｃ，４０ｆは、第３図柄表示装置４２の表示画面の一部で保留表示等される構成等であっても良い。
【００４９】
また、遊技盤３０には、図２に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は上方の約１／４ほどを除いて略縦楕円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００５０】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム５４（図２に二点鎖線で示す部材）が位置している。従って、所定以上の勢いで発射された遊技球は、返しゴム５４に当たって跳ね返されるようになっている。外レール５２は、長尺状をなすステンレス製の金属帯としているので、遊技球の飛翔をより滑らかなものとする、つまり遊技球の摩擦抵抗を少なくすることができる。なお、図２に破線で示すように、外レール５２の先端部から内レール５１の右側先端部までは、内枠１２に形成された壁部５５（図２に破線で示す）が位置することにより、遊技領域３０ａが仕切られている。
【００５１】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００５２】
次に、遊技盤３０の遊技領域３０ａについて説明する。遊技領域３０ａは、図２に示すように、内レール５１と外レール５２との内周部（内外レール）により略縦長円形状に区画形成されており、特に本実施の形態では、遊技盤３０の盤面上に区画される当該遊技領域３０ａが大きく構成されている。
【００５３】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００５４】
なお、詳しい図面の開示は省略するが、遊技球発射装置３８には、前面枠セット１４の図示省略の球出口（上皿１９の最下流部より通じる球出口）から遊技球が１つずつ供給される。
【００５５】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台（主制御装置２６１の図６を用いて後述する取付台２３０のみ図示し、それ以外の取付台は図示を省略する）に分けて搭載して２つの制御基板ユニットを構成し、それら制御基板ユニットを個別に内枠１２又は遊技盤３０の背面に装着するようにしている。この場合、後述する図４に示した主制御装置２６１とサブ制御装置２６２とを、遊技盤３０に取り付けられる別々の取付台（主制御装置２６１の図６を用いて後述する取付台２３０のみ図示し、それ以外の取付台は図示を省略する）に搭載してそれぞれユニット化すると共に、後述する図４に示した払出制御装置３１１、発射制御装置３１２及び電源装置３１３を別の取付台（図示省略）に搭載してユニット化している。ここでは便宜上、前者のユニットを「第１制御基板ユニット２０１」と称し、後者のユニットを「第２制御基板ユニット２０２」と称することとする。
【００５６】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００５７】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の背面に対して開閉できる構成としている。これは、各ユニット２０１〜２０３やその他構成が前後に重ねて配置されても、隠れた構成等を容易に確認することを可能とするための工夫でもある。
【００５８】
また、遊技盤３０の背面には、各種入賞口などの遊技球の通過を検出するための入賞感知機構などが設けられている。具体的には、遊技盤３０表側の一般入賞口３１に対応する位置には入賞口スイッチ（図示省略）が設けられ、可変入賞装置３２にはカウントスイッチ（図示省略）が設けられている。カウントスイッチ（図示省略）は入賞球をカウントするスイッチである。また、第１の始動口３３ａ，第２の始動口３３ｂに対応する位置には第１の始動口３３ａ用の作動口スイッチ（図示省略）と第２の始動口３３ｂ用の作動口スイッチ（図示省略）（図示省略）とがそれぞれ設けられ、第１の始動口３３ａ，第２の始動口３３ｂへの遊技球の入球を当該作動口スイッチ（図示省略）で検出される。第３の始動口３４に対応する位置にはゲートスイッチが設けられ、第３の始動口３４への遊技球の通過を当該ゲートスイッチで検出される。
【００５９】
一般入賞口３１の入賞口スイッチ（図示省略）及び第３の始動口３４のゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、可変入賞装置３２のカウントスイッチ（図示省略）は後述する大入賞口中継端子基板９１に接続され、さらにこの大入賞口中継端子基板９１がやはり主制御基板２６１ａに接続されている。これに対し、第１の始動口３３ａ及び第２の始動口３３ｂの各作動口スイッチ（図示省略）は中継基板を介さずに直接に主制御基板２６１ａに接続されている。
【００６０】
その他図示は省略するが、可変入賞装置３２には、大入賞口３２ａを開放するための大入賞口ソレノイドが設けられ、下部側の第２の始動口３３ｂには、電動役物を開放するための作動口ソレノイドが設けられている。
【００６１】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００６２】
第１制御基板ユニット２０１は、例えば略矩形状の取付台（主制御装置２６１の図６を用いて後述する取付台２３０のみ図示し、それ以外の取付台は図示を省略する）を上下２つ有し、遊技盤３０の背面側から見た状態での下側の取付台２３０（図６参照）に主制御装置２６１が搭載され、上側の取付台（図示省略）にサブ制御装置２６２が搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは、封印ユニット（図示省略）によって開封不能に連結され、これにより基板ボックス（図示省略）が封印されている。
【００６３】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２及び表示制御装置４５に出力されるようになっている。
【００６４】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６５】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【００６６】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００６７】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できる。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００６８】
次に、裏パックユニット２０３の構成を説明する。裏パックユニット２０３は、図３に示すように、樹脂成形された裏パック３５１と遊技球の払出機構部３５２とを一体化したものである。
【００６９】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて上皿１９に供給される。
【００７０】
また、タンクレール３５６には、当該タンクレール３５６に振動を付加するためのバイブレータ３６０が設けられている。例えば、バイブレータ３６０が例えば２本のネジでタンクレール３５６に締結されて取り付けられる。さらに、バイブレータ３６０は、タンクレール３５６に面接触するのではなく、当該２本のネジの部分で接触しており、バイブレータ３６０による振動がより効果的にタンクレール３５６に伝わる。従って、仮にタンクレール３５６付近で球詰まりが生じた際、バイブレータ３６０が駆動されることで球詰まりが解消される。
【００７１】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされる。
【００７２】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制される。
【００７３】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力される。
【００７４】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００７５】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００７６】
ＲＡＭ５０３は、パチンコ機１０の電源のオフ後においても電源装置３１３からバックアップ電圧が供給されてデータが保持（バックアップ）できる構成としており、ＲＡＭ５０３には、各種のデータ等を一時的に記憶するためのメモリやエリアを備えている。
【００７７】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００７８】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００７９】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成としており、ＲＡＭ５１３には、各種のデータ等を一時的に記憶するためのメモリやエリアを備えている。
【００８０】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００８１】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００８２】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【００８３】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【００８４】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レールに遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【００８５】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【００８６】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００８７】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【００８８】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００８９】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【００９０】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２２ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００９１】
なお、電源部５４１は、電源部５４１で監視している交流２４ボルトが２２ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００９２】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【００９３】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【００９４】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示される。
【００９５】
続いて、本実施例のパチンコ機１０のさらなる特徴部分について図６〜図１６を用いて説明する。
【００９６】
図６は、実施例１の遊技盤３０の背面右上から見た背面斜視図である。図７は、実施例１の遊技盤３０を背面左上から見た背面斜視図である。図８は、実施例１の遊技盤３０の背面図である。図９は、実施例１の遊技盤３０の正面右上から見た分解斜視図である。図１０は、実施例１の遊技盤３０の背面右上から見た分解斜視図である。図１１は、取付台２３０を構成するスペーサ部２３２と集合通路盤６０と回動支持軸部品２４２とを示す右上視斜視図である。図１２は、スペーサ部２３２が集合通路盤６０の下部側を回動軸Ｊ２として回動支持軸部品２４２で回動支持される様子を示す右上視斜視図である。図１３は、実施例１の遊技盤３０の背面左下から見た分解斜視図である。図１４は、実施例１の遊技盤３０の背面右下から見た分解斜視図である。図１５は、取付台２３０を構成するスペーサ部２３２と集合通路盤６０と回動支持軸部品２４２とを示す右下視斜視図である。図１６は、スペーサ部２３２が集合通路盤６０の下部側を回動軸Ｊ２として回動支持軸部品２４２で回動支持される様子を示す右下視斜視図である。図１７は、取付台２３０及び集合通路盤６０の回動支持軸部品２４２の端部２４３と係止部品２５０との係止箇所を断面視した一部断面斜視図である。図１８は、取付台２３０及び集合通路盤６０の回動支持軸部品２４２の端部２４３と係止部品２５０との係止箇所を断面視した一部断面図である。図１９（ａ）は、主制御装置２６１を開状態とし且つ取付台２３０を集合通路盤６０に近接した近接位置にある状態を示す遊技盤３０の背面右下視斜視図、図１９（ｂ）は、取付台２３０を集合通路盤６０から引き出した引出位置にある状態を示す遊技盤３０の背面右下視斜視図である。図２０（ａ）は、取付台２３０を集合通路盤６０から引き出した引出位置にある状態を示す遊技盤３０の側面図、図２０（ｂ）は、取付台２３０を引出位置から回動させた状態を示す遊技盤３０の側面図である。図２１（ａ）は、取付台２３０を集合通路盤６０から引き出した引出位置にある状態を示す遊技盤３０の背面左上視斜視図、図２１（ｂ）は、取付台２３０を引出位置から回動させた状態を示す遊技盤３０の背面左上視斜視図である。図２２（ａ）は、取付台２３０を集合通路盤６０から引き出した引出位置にある状態を示す遊技盤３０の背面右上視斜視図、図２２（ｂ）は、取付台２３０を引出位置から回動させた状態を示す遊技盤３０の背面右上視斜視図である。図２３（ａ）は、取付台２３０を集合通路盤６０から引き出した引出位置にある状態を示す遊技盤３０の背面右下視斜視図、図２３（ｂ）は、取付台２３０を引出位置から回動させた状態を示す遊技盤３０の背面右下視斜視図である。図２４は、取付台２３０が反転した状態を示す遊技盤３０の背面右上視斜視図である。
【００９７】
なお、図６〜図１０，図１３、図１４、図１９〜図２４では、遊技盤３０は、その正面側に、一般入賞口３１のみを配置し、その背面側に、集合通路盤６０と、取付台２３０と、主制御装置２６１と、第３図柄表示装置４２が取り付けられる被取付部材４３とを備えた状態を図示し、その他の構成品（遊技盤３０の正面側に配設される可変表示装置ユニット３５やレール５１，５２や釘や可変入賞装置３２や始動入賞装置３３など）の図示を省略している。
【００９８】
本実施例のパチンコ機１０は、図２を用いて前述したように、遊技球が打ち込まれる遊技領域３０ａが前面側に形成された遊技盤３０を備えている。この遊技盤３０は、図２に示すように、遊技領域３０ａに複数本の釘が立設されたものである。
【００９９】
この遊技領域３０ａの下部側箇所には、図２に示すように、始動入賞装置３３と、この始動入賞装置３３の直下に設けられた可変入賞装置３２と、始動入賞装置３３の略両側で離間した各箇所に配設された４個の一般入賞口３１と、が設けられている。
【０１００】
また、遊技盤３０の背面には、図６〜図１０に示すように、遊技盤３０を背面視した状態で手前側から奥側の順に、遊技を統括的に制御する主制御装置２６１と、この主制御装置２６１が取り付けられる取付台２３０と、取付台２３０が回動支持可能に取り付けられた集合通路盤６０（集合板）とが、配設されている。
【０１０１】
具体的には、集合通路盤６０は、図６〜図１０、図１３、図１４及び図１９に示すように、遊技盤３０の背面下部箇所に、例えばネジ止めすることで取り付けられている。この集合通路盤６０の遊技盤３０の背面への取り付けについては、通常のネジによるネジ止め以外に、破断ネジやワンウエイネジでネジ止めしてもよいし、接着剤で接着してもよいし、遊技盤３０との係止機構で係止するようにしてもよいし、それらを組み合わせて取り付けるようにしてもよい。
【０１０２】
集合通路盤６０は、図６〜図１０、図１３、図１４及び図１９に示すように、遊技盤３０の遊技領域３０ａの一般入賞口３１や可変入賞装置３２や始動入賞装置３３に入球してこの遊技盤３０の背面側に案内された遊技球を集めて当該パチンコ機１０の下部の島設備に設けられた遊技球回収装置（図示省略）に向けて下方に排出する球通路を備えている。この集合通路盤６０は、例えば樹脂成型部品としている。
【０１０３】
遊技盤３０は、図９に示すように、一般入賞口３１、可変入賞装置３２（図２参照）及び始動入賞装置３３（図２参照）の各配設箇所に、貫通孔（図９に示す一般入賞口用貫通孔５６、始動入賞装置用貫通孔５７及び可変入賞装置用貫通孔５８）がそれぞれ当該遊技盤３０の前後方向に貫通して形成されている。
【０１０４】
具体的には、図９に示すように、遊技盤３０の一般入賞口３１の配置箇所には、一般入賞口用貫通孔５６が形成されている。また、図９に示すように、遊技盤３０の始動入賞装置３３（図２参照）の配置箇所には、始動入賞装置用貫通孔５７が形成されている。また、図９に示すように、遊技盤３０の可変入賞装置３２（図２参照）の配置箇所には、可変入賞装置用貫通孔５８が形成されている。
【０１０５】
これらの一般入賞口３１、可変入賞装置３２及び始動入賞装置３３に入賞した遊技球は、対応する貫通孔（図９に示す一般入賞口用貫通孔５６、始動入賞装置用貫通孔５７及び可変入賞装置用貫通孔５８）を通過して当該遊技盤３０の背後に案内される。
【０１０６】
集合通路盤６０は、図２０，図２１に示すように、その球通路部のうちで一般入賞口用貫通孔５６に連通する通路の途中箇所に、一般入賞口３１に入賞した遊技球の入賞検出する図示省略の入賞口スイッチ（通過検出センサ：近接センサ）を備え、その球通路部のうちで始動入賞装置用貫通孔５７に連通する通路の途中箇所に、始動入賞装置３３に入賞した遊技球の入賞検出する図示省略の作動口スイッチ（通過検出センサ：近接センサ）を備えている。
【０１０７】
さらに、この集合通路盤６０は、図１２に示すように、その正面側に、遊技盤３０に磁石を近づけたことを検出する磁気検出センサ（図示省略）と、この磁気検出センサ（図示省略）を例えば横向きに支持する磁気検出センサホルダー６８とを備えている。
【０１０８】
この磁気検出センサ（図示省略は、例えば、不正行為者が遊技盤３０のガラス板１３７（図１参照）面に磁石を近づけることで、遊技盤３０を流下する遊技球を、不正に第１の始動口３３ａ等に入賞させようとする不正行為を検出するためのものである。この磁気検出センサで磁気検出（不正に磁石を近づけたことを検出）は、主制御基板２６１ａあるいはホール側のホストコンピュータ等に出力され、エラー報知（パチンコ機での報知やホール側での報知）や遊技の停止（一部遊技停止）などが行われる。
【０１０９】
この磁気検出センサホルダー６８は、図１２に示すように、集合通路盤６０の遊技盤３０と対向する側を見た状態で、集合通路盤６０の周縁箇所のうちの一部箇所（本実施例では、上部中央から左側にずれた左側箇所と、上部中央から右側にずれた右側箇所）に、遊技盤３０の背面に当接するようにして設けられている。なお、磁気検出センサホルダー６８を遊技盤３０の背面に近接するようにしてもよい。
【０１１０】
この集合通路盤６０の背面側（遊技盤３０から遠い側）には、図２０（ａ）、図２１（ａ）、図２４（ａ）に示すように、回動支持機構部２４０によって、遊技盤３０の背面視で下部側を回動軸Ｊ２として取付台２３０が下方に回動可能に配設されている。
【０１１１】
具体的には、取付台２３０は、図２０、図２３、図２４に示すように、集合通路盤６０の下部側を水平回動軸Ｊ２として回動可能にこの集合通路盤６０に支持されている。
【０１１２】
取付台２３０は、図９、図１０、図１３及び図１４に示すように、主制御装置２６１が装着される台部２３１と、この台部２３１と集合通路盤６０とのスペース（隙間）を少なくする（あるいは、無くす）ためのスペーサ部２３２とを備えている。この台部２３１及びスペーサ部２３２は、例えば樹脂成型部品としている。
【０１１３】
台部２３１は、図９及び図１０に示すように、主制御装置２６１が装着される正面視矩形状の略板状部材である。
【０１１４】
スペーサ部２３２は、図９及び図１０に示すように、台部２３１と合わせる側が開口された開口部２３２ｄを有する箱状部材である。スペーサ部２３２は、図１１及び図１５に示すように、その内側空間部分に格子状に仕切り壁部２３２ａが形成されており、少ない樹脂材料で構成することができることから軽量化が図られるだけでなく、格子状の仕切り壁部２３２ａによってスペーサ部２３２自体の変形や撓みが低減され、剛性に優れている。
【０１１５】
スペーサ部２３２は、図１５及び図１６に示すように、その下部の両端各箇所に、奥行き方向に向かう直線状の溝部２３６がそれぞれ形成されている。この溝部２３６を構成する両側壁２３６ａのうちで内側の側壁２３６ａ（当該スペーサ部２３２の横幅中央に近い方の側壁２３６ａ）には、後述する回動支持軸部品２４２を位置させる、奥行き方向に切り欠かれた切り欠き部２３３が形成されている。
【０１１６】
また、台部２３１は、図１３及び図１４に示すように、その下部の両端各箇所に、奥行き方向に向かう直線状の溝部２３１ｅがそれぞれ形成されている。この溝部２３１ｅは、回動支持軸部品２４２の直径よりも大きい溝幅であり、台部２３１がスペーサ部２３２に取り付けた状態でスペーサ部２３２の溝部２３６と連通しているので、後述するように取付台２３０を反転させた場合に（図２４参照）、回動支持軸部品２４２の一部が台部２３１の溝部２３１ｅに位置しており、取付台２３０を１８０度反転した状態とすることができる。
【０１１７】
取付台２３０は、図９及び図１０に示すように、台部２３１を、スペーサ部２３２の開口部２３２ｄを閉じるようにして取り付ける。
【０１１８】
具体的には、スペーサ部２３２は、図９及び図１０に示すように、遊技盤３０の背面視において、その開口部２３２ｄの左端部に例えば３個、右端部例えば２個、及び、下端部に例えば１個の係止爪２３２ｂがそれぞれ形成されている。これと同様に、台部２３１は、図９及び図１０に示すように、遊技盤３０の背面視において、その左端部に例えば３個、右端部例えば２個、及び、下端部に例えば１個の係止孔２３１ｂがそれぞれ形成されている。そして、図９及び図１０に示すように、後述する回動支持軸部品２４２を、スペーサ部２３２の下部の両溝部２３６での内側の側壁２３６ａに形成された切り欠き部２３３（図１５，図１６参照）に位置させた状態において、スペーサ部２３２の各係止爪２３２ｂを台部２３１の係止孔２３１ｂに挿入させて係止させることで、スペーサ部２３２と台部２３１とが組み合わされる。
【０１１９】
なお、スペーサ部２３２の切り欠き部２３３は、このスペーサ部２３２を樹脂成型した後に切り欠き加工して形成されたものとしてもよいが、本実施例では、スペーサ部２３２の樹脂成型工程で同時に切り欠き部２３３が形成されるような成型金型を使用している。
【０１２０】
また、スペーサ部２３２の格子状の仕切り壁部２３２ａは、図１１及び図１６に示すように、その左上交点箇所と右下交点箇所にねじ穴２３２ｃが形成されており、図９及び図１３に示すようにこのねじ穴２３２ｃに対応する、台部２３１での箇所に貫通孔２３１ｄが形成されており、台部２３１の貫通孔２３１ｄに破断ネジを挿入してスペーサ部２３２のねじ穴２３２ｃにネジを螺入する。このようにすることで取付台２３０が組み立てられる。なお、破断ネジ以外に、ワンウエイネジを採用してもよい。
【０１２１】
台部２３１をスペーサ部２３２から取り外したい場合には、ネジ止め箇所の外周箇所に形成されている円弧状切欠部２３１ｃ間を切断して、その係止を解除することで取り外すことができる。
【０１２２】
スペーサ部２３２は、その集合通路盤６０と対向する側のうちで両側箇所に、平坦形状とした平坦部２３４が形成されている。こうすることで、後述するように取付台２３０を回動させる際に、スペーサ部２３２に、集合通路盤６０に配設される入賞口スイッチの配線などが引っ掛かることを低減できる。
【０１２３】
また、台部２３１は、図９、図１０、図１３及び図１４に示すように、遊技盤３０の背面視で右側上部位置と右側下部位置とに、主制御装置２６１の被係止部２６５と係止する係止爪２３１ａがそれぞれ形成されている。
【０１２４】
また、回動支持機構部２４０は、図９，図１１に示すように、取付台２３０を遊技盤３０の背面側に取り付けた取付位置としての、集合通路盤６０の背面側に近接した近接位置と、取付台２３０をその近接位置よりも遊技盤３０の背面側から離間させた離間位置（引き出した引出位置）とにスライド変位可能な変位機構部２４１を備えており、取付台２３０が離間位置にある状態でこの取付台２３０を回動可能とするものである。
【０１２５】
ここで言う「近接位置」とは、集合通路盤６０の背面側に接触する位置や、取付台２３０と集合通路盤６０との間に不正基板等が介装不可な程度の間隔とすることが好ましい。
【０１２６】
回動支持機構部２４０は、図１１及び図１５に示すように、取付台２３０を回動支持するための回動支持軸部品２４２と、この回動支持軸部品２４２の端部２４３が挿入されて引き抜き不可に当該端部２４３と係止する係止部品２５０と、集合通路盤６０に形成されて、この集合通路盤６０での遊技盤３０と対向する側から係止部品２５０が挿入されて当該係止部品２５０を止める取付孔部６１と、を備えている。
【０１２７】
回動支持軸部品２４２は、図１１及び図１５に示すように、遊技盤３０の平面視で略コの字状の棒状の金属製部材であり、その両端部２４３の周面箇所には、図１７及び図１８に示すように、その周方向に形成されたＶノ字状溝が当該端部２４３に向かう方向に複数個並べて形成されることで鋸歯状周面部２４４が形成されている。この実施例では、Ｖノ字状溝のすぐ隣に次のＶノ字状溝が形成されているため、両溝の間には逆Ｖノ字状の山部が形成された鋸歯状周面部２４４となっている。
【０１２８】
係止部品２５０は、図９及び図１０に示すように、集合通路盤６０の取付孔部６１への挿入方向視において、環状の本体部２５１と、この本体部２５１の上側に連結形成された横板状部２５２とを備えている。
【０１２９】
本体部２５１は、図９及び図１０に示すように、取付孔部６１への挿入方向に突出してその先端側が内側に折れ曲がり形成された折れ曲がり爪部２５３を、当該環状に間隔を開けて複数個並べる（例えば４個均等に並べる）ように形成されている。図１０に示すように、この４個の折れ曲がり爪部２５３の先端側は、回動支持軸部品２４２の端部２４３が挿入可能な大きさで且つ当該端部２４３の直径よりも小さい大きさの間隙部２５４が形成されているので、後述するように回動支持軸部品２４２の端部２４３が間隙部２５４に挿入可能で折れ曲がり爪部２５３に係止させることができる。
【０１３０】
横板状部２５２は、図９及び図１０に示すように、その両側箇所で、取付孔部６１への挿入方向に突出した係止突出爪２５５が形成されている。
【０１３１】
集合通路盤６０の取付孔部６１は、図９に示すように、遊技盤３０と対向する側から係止部品２５０が挿入可能な穴部６２と、図１０、図１７及び図１８に示すように、取付台２３０と対向する側から当該係止部品２５０が挿入可能で穴部６２と連通する、回動支持軸部品２４２の端部２４３の径程度の大きさの貫通孔部６３とを備えている。
【０１３２】
図９に示すように、集合通路盤６０の遊技盤３０と対向する側から当該集合通路盤６０の取付孔部６１に、係止部品２５０の本体部２５１が挿入されると、この係止部品２５０の横板状部２５２の係止突出爪２５５が、図９及び図１０に示すように、集合通路盤６０の取付孔部６１の上側２箇所に形成された挿入孔６４に挿入されて、図１６に示すように係止突出爪２５５が取付孔部６１における穴部６２と貫通孔部６３との境界箇所に形成された段差部６５と係止される。
【０１３３】
そして、図１５及び図１６に示すように、回動支持軸部品２４２を取付台２３０の下部側の切り欠き部２３３に挿入させた状態でその端部２４３を集合通路盤６０の背面側から取付孔部６１に挿入すると、図１７及び図１８に示すように、回動支持軸部品２４２の端部２４３の周面箇所の鋸歯状周面部２４４が係止部品２５０の折れ曲がり爪部２５３に係止された状態となり、回動支持軸部品２４２の端部２４３の係止部品２５０への挿入は許容するが、回動支持軸部品２４２を取付孔部６１から引き戻そうとしても回動支持軸部品２４２の鋸歯状周面部２４４が係止部品２５０の折れ曲がり爪部２５３に係止されて引き戻しすることができない。
【０１３４】
なお、回動支持軸部品２４２の端部２４３が係止部品２５０の折れ曲がり爪部２５３に係止された状態を解除するためには、まず、取付台２３０を集合通路盤６０ごと取り外す。こうすることで、集合通路盤６０と遊技盤３０との間に隠れていた係止部品２５０にアクセスできる状態となる。そして、係止部品２５０を破壊する（あるいは集合通路盤６０を破壊してもよい）ことで、端部２４３と折れ曲がり爪部２５３との係止を解除でき、端部２４３が取付孔部６１から引き抜き可能となる。
【０１３５】
また、取付孔部６１は、図８に示すように、遊技盤３０の背面視した状態において、集合通路盤６０における取付台２３０よりも外側の箇所に設けられている。
【０１３６】
回動支持軸部品２４２は、図１１及び図１５に示すように、集合通路盤６０に向かう延出部２４５を備えている。この延出部２４５は、図１１及び図１５に示すように、取付台２３０に近い側に当該取付台２３０を回動支持する回動支持部２４６を備え、集合通路盤６０に近い側に当該回動支持軸部品２４２の端部２４３が形成され、この端部２４３が取付孔部６１に向かうように屈折した屈折部２４７を備えている。
【０１３７】
回動支持機構部２４０は、図１７に示すように、取付位置（近接位置）の取付台２３０をその取付姿勢状態を保持する姿勢保持部２４８を備えている。姿勢保持部２４８は、図１７及び図１８に示すように、スペーサ部２３２の溝部２３６の奥面部２３６ｂ（両側壁２３６ａ間に位置する窪み面部）と、回動支持軸部品２４２の延出部２４５での所定箇所（例えば、回動支持部２４６から屈折部２４７までの箇所）であって溝部２３６の奥面部２３６ｂが載置される載置部２４９と、を備えている。つまり、図１７及び図１８に示すように、取付台２３０が取付位置（近接位置）に位置している状態では、取付台２３０が回動支持軸部品２４２の延出部２４５に乗った状態となっており、図１８に示すように遊技盤３０の側面視で取付台２３０の重心位置が回動支持軸部品２４２上の位置にあるため、取付台２３０が自重で反転してしまうことがない。
【０１３８】
また、スペーサ部２３２は、図１６に示すように、その溝部２３６の両側壁２３６ａのうちで外側の側壁２３６ａ（当該スペーサ部２３２の横幅端部に近い方の側壁２３６ａ）における、切り欠き部２３３よりも集合通路盤６０に近い箇所に、保持突起部２３５を備えている。
【０１３９】
図１６に示すように、取付台２３０が取付位置（近接位置）にある場合には、スペーサ部２３２の溝部２３６の保持突起部２３５は、回動支持軸部品２４２での屈折部２４７に近い箇所（つまり、回動支持部２４６から遠い箇所）を保持していることから、取付台２３０を反転させる方向に多少の力（この保持を解除するには至らない程度の力）がかかっても取付台２３０が取付位置（近接位置）でその取付姿勢状態が保持されている。
【０１４０】
つまり、図１６に示すように、水平回動軸Ｊ２である回動支持部２４６が支点、保持突起部２３５が作用点、取付台２３０の手前側箇所（主制御装置２６１の取り付け側箇所）が力点となるので、取付台２３０が取付位置（近接位置）にある場合には、回動支持部２４６（支点）から保持突起部２３５（作用点）までの距離よりも、回動支持部２４６（支点）から取付台２３０の手前側箇所（力点）までの距離の方が短い。よって、てこの原理により、保持突起部２３５（作用点）での回動阻止力が大きくなっている。
【０１４１】
これに対して、図２３（ｂ）に示すように、取付台２３０が離間位置（引出位置）にある場合には、回動支持部２４６（支点）から保持突起部２３５（作用点）までの距離よりも、回動支持部２４６（支点）から取付台２３０の手前側箇所（力点）までの距離の方が長い。よって、てこの原理により、保持突起部２３５（作用点）での回動阻止力が小さくなっており、取付台２３０の手前側箇所（力点）に軽く力をかけるだけで、取付台２３０を回動（反転）させることができる。
【０１４２】
なお、図１８に示すように、取付位置（近接位置）にある取付台２３０を回動させようとして、無理に力を加えて保持突起部２３５による回動支持軸部品２４２の保持を解除しても、取付台２３０のスペーサ部２３２の上部がその上側に位置する、遊技盤３０の他の部品（例えば、被取付部材４３）に当たるので、取付台２３０の取付位置（近接位置）ではこの取付台２３０が反転することはない。
【０１４３】
図１９（ａ）に示すように、取付台２３０が取付位置（近接位置）にあると、遊技盤３０の背面視において、集合通路盤６０の背面の大部分が取付台２３０で覆われて隠れた状態となる。
【０１４４】
また、図１７及び図１８に示すように、回動支持軸部品２４２の端部２４３が係止部品２５０に挿入されて引き抜き不可に係止された状態では、屈折部２４７での集合通路盤６０に対向する箇所２４７ａが、集合通路盤６０の被当接部６６に当接する。この当接状態では、回動支持軸部品２４２の端部２４３が遊技盤３０に対して非接触としている。
【０１４５】
また、主制御装置２６１は、図１９に示すように、遊技盤３０の背面視で左端側を軸心として片開き可能に遊技盤３０に軸支されている。具体的には、主制御装置２６１は、図１９、図２１及び図２４に示すように、集合通路盤６０の左端側を軸心として、近接位置の取付台２３０に係止された閉状態（図６、図７参照）と、近接位置の取付台２３０との係止が解除されて当該取付台２３０から開かれた開状態（図１９（ａ）参照）とに回動変位可能に支持されている。
【０１４６】
図１９（ａ）に示すように取付台２３０を集合通路盤６０に近接する近接位置とした上で、図１９（ａ）に示す片開き状態の主制御装置２６１を、図６，図７に示すように閉状態とすると、この主制御装置２６１の被係止部２６５が取付台２３０の係止爪２３１ａにより係止された状態となる。この状態では、図６，図７に示すように、取付台２３０の係止爪２３１ａとの係止状態を解除しない限り、主制御装置２６１は、図１９（ａ）に示す開状態とすることができないし、取付台２３０は、図１７，図１８に示すように、集合通路盤６０の背面側に近接位置で保持されている。
【０１４７】
なお、上述した遊技盤３０が後述する遊技部品に相当し、上述した取付台２３０が配設部品に相当し、上述した集合通路盤６０が取付部品に相当し、上述した回動支持機構部２４０が回動支持機構に相当し、上述した主制御装置２６１が開閉部品に相当し、上述した回動支持軸部品２４２が回動支持部品に相当し、上述した取付孔部６１が取付部に相当する。また、上述した変位機構部２４１がスライド変位機構部に相当し、上述した姿勢保持部２４８が支持部に相当し、上述した切り欠き部２３３及び保持突起部２３５が回動阻止力変更部に相当する。
【０１４８】
ここで、取付台２３０の反転手順について説明する。
【０１４９】
図１９（ａ）に示すように、取付台２３０の係止爪２３１ａが主制御装置２６１の被係止部２６５から離れる方向にこの係止爪２３１ａに力を加えてそれらの係止を解除し、主制御装置２６１を、遊技盤３０の背面視で左端側を軸心として片開き状態にする。
【０１５０】
取付台２３０は、図１９（ａ）に示すように、取付位置（近接位置）にあり、図１９（ａ）の拡大図に示すように、回動支持軸部品２４２の先端と回動支持部２４６との間の位置に保持突起部２３５が位置している。
【０１５１】
そして、図１９（ｂ）に示すように、取付位置（近接位置）にある取付台２３０を引き出して、集合通路盤６０から離れた離間位置（引出位置）にする。
【０１５２】
取付台２３０は、図１９（ｂ）に示すように、離間位置（引出位置）にあり、図１９（ｂ）の拡大図に示すように、回動支持軸部品２４２の回動支持部２４６に近い位置に保持突起部２３５が位置し、図２０（ａ）に示すように、遊技盤３０の側面視で取付台２３０の重心位置が回動支持軸部品２４２よりも手前位置になっている。
【０１５３】
そして、作業者が取付台２３０を回動させるためにこの取付台２３０に軽く力をかけることで、図２０（ｂ）、図２１（ｂ）、図２２（ｂ）及び図２３（ｂ）に示すように、回動軸Ｊ２周りに回動する。
【０１５４】
そして、図２４に示すように、取付台２３０が１８０度反転して、取付台２３０の集合通路盤６０と対向していた面が露わになる。
【０１５５】
なお、取付台２３０を元に戻す場合には上記作業を逆に行えば良い。
【０１５６】
上述したように、本実施例１のパチンコ機１０によれば、遊技球が打ち込まれる遊技領域３０ａが正面側に形成された遊技盤３０と、この遊技盤３０の背面側に配設される取付台２３０と、遊技盤３０の背面視で下部側を回動軸Ｊ２として取付台２３０を回動可能に支持する回動支持機構部２４０とを備え、この回動支持機構部２４０は、取付台２３０を、遊技盤３０の背面側に取り付けた取付位置（近接位置）と、この取付位置（近接位置）よりも遊技盤３０の背面側から離間させた離間位置（引出位置）とにスライド変位可能な変位機構部２４１と、取付位置（近接位置）の取付台２３０を取付姿勢で支持する姿勢保持部２４８と、取付位置（近接位置）よりも離間位置（引出位置）の方が取付台２３０の回動阻止力を小さくした回動阻止力変更部（切り欠き部２３３及び保持突起部２３５）とを備えている。
【０１５７】
したがって、遊技盤３０は、その正面側に、遊技球が打ち込まれる遊技領域３０ａが形成され、その背面側に取付台２３０が配設される。取付台２３０は、回動支持機構部２４０によって、遊技盤３０の背面視で下部側を回動軸Ｊ２として回動可能に支持されている。変位機構部２４１は、取付台２３０を、遊技盤３０の背面側に取り付けた取付位置（近接位置）と、この取付位置（近接位置）よりも前記遊技盤３０の背面側から離間させた離間位置（引出位置）とにスライド変位可能である。姿勢保持部２４８は、取付位置（近接位置）の取付台２３０を取付姿勢で支持するので、取付台２３０の閉状態を保持できる。また、作業者が取付位置（近接位置）の取付台２３０から手を離してもこの取付台２３０が回動することがなく、取付位置（近接位置）の取付台２３０が回動することに起因する取付台２３０及び他の部品（例えば、被取付部材４３）の損傷を低減できる。
【０１５８】
さらに、取付台２３０の回動阻止力は、取付台２３０が取付位置（近接位置）にあるときよりも離間位置（引出位置）にあるときの方が小さいので、離間位置（引出位置）では取付位置（近接位置）よりも小さい力で取付台２３０を回動させることができ、取付台２３０を離間位置（引出位置）に移動させて当該離間位置（引出位置）で回動させる方が取付位置（近接位置）よりも回動させ易く、取付台２３０を容易に開状態にできる。その結果、取付台２３０の閉状態を保持できつつ、取付台２３０を容易に開状態にできる遊技機を提供することができる。
【０１５９】
また、変位機構部２４１は、取付台２３０を、離間位置（引出位置）から遊技盤３０の背面側の取付位置（近接位置）に変位させるので、取付位置（近接位置）の取付台２３０と遊技盤３０の背面側との間の隙間を低減することができ、かかる隙間を狙った不正行為を低減することができる。
【０１６０】
また、取付台２３０を離間位置（引出位置）に移動させてから回動させるので、取付台２３０を例えば上下方向に回動させる構成の場合に、取付位置（近接位置）にある取付台２３０の上側に他の部品（例えば、被取付部材４３）を近接配置したり、取付位置（近接位置）にある取付台２３０の下側に他の部品を近接配置したりすることができ、取付位置（近接位置）の取付台２３０の上側又は下側の隙間を低減することができ、上側又は下側の隙間を狙った不正行為も低減することができる。また、取付台２３０を例えば左右方向に回動させる構成の場合に、取付位置（近接位置）にある取付台２３０の左側に他の部品を近接配置したり、取付位置（近接位置）にある取付台２３０の右側に他の部品を近接配置したりすることができ、取付位置（近接位置）の取付台２３０の左側又は右側の隙間を低減することができ、左側又は右側の隙間を狙った不正行為も低減することができる。
【０１６１】
また、回動支持機構部２４０は、遊技盤３０の背面視で下部側を回動軸Ｊ２として取付台２３０を回動可能に支持する。離間位置（引出位置）の取付台２３０は、遊技盤３０の側面視において、その重心位置が回動軸Ｊ２よりも回動側（遊技盤３０背面の後方位置）に位置しているので、その自重によって回動させることができ、さらに回動させ易くできる。
【０１６２】
また、回動支持軸部品２４２の端部２４３が係止部品２５０に挿入されて引き抜き不可に係止された状態では、屈折部２４７での集合通路盤６０に対向する箇所２４７ａが、集合通路盤６０の被当接部６６に当接する。この当接状態では、回動支持軸部品２４２の端部２４３が遊技盤３０に対して非接触としている。したがって、取付台２３０が取付位置（近接位置）に勢い良くスライドされた場合に、その力が集合通路盤６０の被当接部６６に伝達されるだけで、回動支持軸部品２４２の端部２４３が遊技盤３０の背面に当接することが低減でき、回動支持軸部品２４２の端部２４３による遊技盤３０の損傷を低減できる。
【０１６３】
上述したように、本実施例１のパチンコ機１０によれば、遊技球が打ち込まれる遊技領域３０ａが正面側に形成された遊技盤３０と、この遊技盤３０の背面側に配設される取付台２３０と、遊技盤３０の背面視で下部側を回動軸Ｊ２として取付台２３０を回動可能に支持する回動支持機構部２４０とを備えている。
【０１６４】
したがって、遊技盤３０は、その正面側に、遊技球が打ち込まれる遊技領域が形成され、その背面側に取付台２３０が配設される。取付台２３０は、回動支持機構部２４０によって、遊技盤３０の背面視で下部側を回動軸Ｊ２として回動可能に支持されているので、遊技盤３０の背面視で左端または右端箇所に回動支持機構部２４０が位置することがなく、遊技盤３０の正面視で遊技領域の左端及び右端箇所にも役物（例えば入賞部品など）を配設することができ、役物の設計自由度を拡大できる。
【０１６５】
また、取付台２３０は、その高さよりも長い横幅方向が回動軸Ｊ２方向として回動されるので、回動支持機構部２４０などの撓みを低減でき、撓みに起因する取付台２３０の回動し辛さや取付台２３０などの破損を低減できる。その結果、役物の設計自由度を向上でき且つ取付台２３０の破損を低減できるパチンコ機１０（遊技機）を提供することができる。
【０１６６】
また、回動支持機構部２４０は、取付台２３０を遊技盤３０の背面側に取り付けた取付位置（近接位置）と、取付台２３０をその取付位置（近接位置）よりも遊技盤３０の背面側から離間させた離間位置（引出位置）とに変位可能な変位機構部２４１を備え、離間位置（引出位置）の取付台２３０を回動可能である。したがって、変位機構部２４１は、取付台２３０を、離間位置（引出位置）から遊技盤３０の背面側の取付位置（近接位置）に変位させるので、取付位置（近接位置）の取付台２３０と遊技盤３０の背面側との間の隙間を低減することができ、かかる隙間を狙った不正行為を低減することができる。
【０１６７】
また、取付台２３０を離間位置（引出位置）に移動させてから回動させるので、取付台２３０を上下方向に回動させる構成下においても、取付位置（近接位置）にある取付台２３０の上側に他の部品（例えば、被取付部材４３）を近接配置したり、取付位置（近接位置）にある取付台２３０の下側に他の部品を近接配置したりすることができ、取付位置（近接位置）の取付台２３０の上側又は下側の隙間を低減することができ、上側又は下側の隙間を狙った不正行為も低減することができる。
【０１６８】
また、主制御装置２６１は、遊技盤３０の背面側で取付位置（近接位置）の取付台２３０に係止された閉状態となるので、主制御装置２６１と取付台２３０との間に不正な部品などが入れられた場合には、主制御装置２６１を取付台２３０に対して閉状態にすることができない。よって、主制御装置２６１と取付台２３０との間に不正な部品などが入れられる不正行為を低減することができる。
【０１６９】
また、遊技盤３０の背面に取り付けられる集合通路盤６０を備え、取付台２３０は、取付位置（近接位置）において集合通路盤６０での遊技盤３０と対向する側とは反対側に近接しており、回動支持機構部２４０は、取付台２３０を回動支持するための回動支持軸部品２４２と、この回動支持軸部品２４２の端部２４３が挿入されて引き抜き不可に当該端部２４３と係止する係止部品２５０と、集合通路盤６０に形成されて、集合通路盤６０での遊技盤３０と対向する側から係止部品２５０が挿入されて当該係止部品２５０を止める取付孔部６１と、を備えている。
【０１７０】
したがって、遊技盤３０の背面には、集合通路盤６０が取り付けられ、取付位置（近接位置）の取付台２３０は、集合通路盤６０の遊技盤３０と対向する側とは反対側に近接している。取付台２３０を回動支持するための回動支持軸部品２４２の端部２４３は、集合通路盤６０の取付孔部６１に挿入されて止められた係止部品２５０に、挿入されて引き抜けないように係止されているので、取付台２３０が回動支持機構部２４０の回動支持軸部品２４２ごと引き抜かれることを低減でき、取付台２３０に対する不正行為を低減できる。
【０１７１】
また、取付台２３０を集合通路盤６０から取り外したい場合には、取付台２３０を集合通路盤６０ごと遊技盤３０から取り外し、この集合通路盤６０の取付孔部６１に挿入された係止部品２５０を破壊することで、取付台２３０を回動支持軸部品２４２ごと集合通路盤６０から取り外すことができる。また、取付台２３０を集合通路盤６０に再度装着する場合には、新たに用意した係止部品２５０を集合通路盤６０の取付孔部６１に挿入し、取付台２３０の回動支持軸部品２４２の端部２４３を取付孔部６１の係止部品２５０に挿入して係止すればよく、集合通路盤６０を再利用することができる。
【０１７２】
また、回動支持機構部２４０は、取付位置（近接位置）の取付台２３０をその取付姿勢状態を保持する姿勢保持部２４８を備えている。したがって、姿勢保持部２４８は、取付位置（近接位置）の取付台２３０をその取付姿勢状態で保持できるので、主制御装置２６１を、取付位置（近接位置）の取付台２３０に係止された閉状態にする際に、作業者は、取付位置（近接位置）の取付台２３０を手で押さえておく必要がなく、取付位置（近接位置）の取付台２３０から手を離して主制御装置２６１を閉じれば良いので、作業性に優れる。
【０１７３】
また、遊技盤３０の背面視で集合通路盤６０における取付台２３０よりも外側の箇所に、取付孔部６１を設けているので、集合通路盤６０の取付孔部６１に係止される回動支持軸部品２４２の端部２４３の係止位置を遊技盤３０の背面視で周縁位置とすることができ、役物の遊技盤３０への配設箇所制限を低減できる。また、回動支持軸部品２４２の延出部２４５は、その端部２４３が取付孔部６１に向かうように屈折した屈折部２４７を備えているので、屈折部２４７を有する延出部２４５と長さが同一で且つ一直線状の延出部の場合に比べて、延出部２４５の剛性を高めることができ、取付台２３０の撓みを低減できる。
【実施例２】
【０１７４】
次に、実施例２のパチンコ機１０について図２５〜図４５を用いて説明する。図２５は、実施例２の遊技盤３０の背面図である。図２６は、実施例２の遊技盤３０の背面右上から見た背面斜視図である。図２７は、図２６の背面斜視図であって回動支持機構部４００を破線で示した図である。図２８は、実施例２の遊技盤３０の正面右上から見た分解斜視図である。図２９は、実施例２の遊技盤３０の背面右上から見た分解斜視図である。図３０は、実施例２の遊技盤３０の背面左下から見た分解斜視図である。図３１は、実施例２の遊技盤３０の背面右下から見た分解斜視図である。図３２は、取付台２３０を集合通路盤６０に近接させた近接位置にある状態を示す遊技盤３０の背面右上視斜視図である。図３３は、取付台２３０の取り付ける様子を示す図である。図３４（ａ）〜（ｃ）は、回動支持機構部４００の組み立て手順を示す一部破断斜視図である。図３５（ａ），（ｂ）は、図３４に続いての組み立て手順を示す一部破断斜視図である。図３６（ａ）〜（ｃ）は、回動支持機構部４００の組み立て手順を示す要部縦断面図である。図３７（ａ），（ｂ）は、図３６に続いての組み立て手順を示す要部縦断面である。図３８（ａ）〜（ｃ）は、取付台２３０の引き出し手順を示す背面右下視斜視図である。図３９（ａ），（ｂ）は、取付台２３０の反転手順を示す背面右下視斜視図である。図４０（ａ），（ｂ）は、取付台２３０の引き出し手順を示す縦断面図である。図４１（ａ），（ｂ）は、取付台２３０の反転手順を示す縦断面図である。図４２（ａ），（ｂ）は、取付台２３０の引き出し手順を示す一部破断斜視図である。図４３（ａ），（ｂ）は、取付台２３０の反転手順を示す一部破断斜視図である。図４４は、取付台２３０及び集合通路盤６０の側面図である。図４５は、取付台２３０及び集合通路盤６０の図４４に示したＡ−Ａ線断面図である。
【０１７５】
なお、図２５〜図３３，図３８及び図３９では、遊技盤３０は、その背面側に、集合通路盤６０と、取付台２３０と、主制御装置２６１と、第３図柄表示装置４２が取り付けられる被取付部材４３とを備えた状態を図示し、その他の構成品（遊技盤３０の正面側に配設される可変表示装置ユニット３５やレール５１，５２や釘や一般入賞口３１や可変入賞装置３２や始動入賞装置３３など）の図示を省略している。
【０１７６】
実施例２の遊技盤３０は、前述した実施例１と同様に、取付台２３０が水平軸を軸心として反転可能なものであるが、実施例２の回動支持機構部４００は、前述した実施例１の回動支持機構部２４０と比べて、具体的構成が異なっている。よって、本実施例２では、前述した実施例１と同様の内容についてはその詳細な説明を省略し、実施例１とは異なる実施例２の回動支持機構部４００について詳細に説明する。
【０１７７】
図２５及び図２６に示すように、集合通路盤６０の背面側（遊技盤３０から遠い側）には、回動支持機構部４００によって、遊技盤３０の背面視で下部側を回動軸Ｊ２として取付台２３０が回動可能に配設されている。
【０１７８】
回動支持機構部４００は、図２７〜図３１に示すように、取付台２３０を遊技盤３０の背面側に取り付けた取付位置としての、集合通路盤６０の背面側に近接した近接位置と、取付台２３０をその近接位置よりも遊技盤３０の背面側から離間させた離間位置（引き出した引出位置）とにスライド変位可能な変位機構部４０１を備えており、取付台２３０が離間位置にある状態でこの取付台２３０を回動可能とするものである。
【０１７９】
回動支持機構部４０１は、図２８〜図３１に示すように、取付台２３０を回動支持するための回動支持軸部品４０２と、この回動支持軸部品４０２の端部４０３が挿入されて引き抜き不可に当該端部４０３と係止する係止部品４１０と、集合通路盤６０に形成されて、この集合通路盤６０での遊技盤３０と対向する側から係止部品４１０が挿入されて当該係止部品４１０を止める取付孔部７０と、を備えている。
【０１８０】
また、取付孔部７０は、図２５に示すように、遊技盤３０の背面視した状態において、集合通路盤６０における取付台２３０よりも外側の箇所に設けられている。図２９及び図３１に示すように、遊技盤３０の背面視において、取付孔部７０の右側面箇所には、段差部７３が形成されている。
【０１８１】
回動支持軸部品４０２は、図２８〜図３１に示すように、遊技盤３０の平面視で略トノ字状で挿入方向視で厚みの薄い金属製部材である。
【０１８２】
回動支持軸部品４０２は、図２８〜図３１に示すように、集合通路盤６０に向かう延出部４０５を備えている。この延出部４０５は、図２８〜図３１に示すように、取付台２３０に近い側に当該取付台２３０を回動支持する鉤状の回動支持部４０６を備え、集合通路盤６０に近い側に当該回動支持軸部品４０２の端部４０３が形成され、この端部４０３が取付孔部７０に向かうように屈折した屈折部４０７を備えている。
【０１８３】
鉤状の回動支持部４０６は、図２８〜図３１に示すように、遊技盤３０の側面視で略Ｌノ字状の軸案内切り欠き部４０６ａを備えている。回動支持軸部品４０２は、図３４及び図３５に示すように、回動支持部４０６の略Ｌノ字状の軸案内切り欠き部４０６ａに、スペーサ部２３２の後述する軸部２３８を位置させるようにして、この軸部２３８に掛けられる。
【０１８４】
回動支持軸部品４０２は、図２８〜図３１に示すように、その屈折部４０７での端部４０３から遠い箇所に、係止部品４１０と係止するための係止孔４０７ａと、当該回動支持軸部品４０２が取付孔部７０に挿入された状態でこの取付孔部７０の縁部７１に当接する規制板部４０７ｂとを備えている。図３５に示すように、回動支持軸部品４０２の端部４０３が集合通路盤６０の取付孔部７０に挿入されると、規制板部４０７ｂが取付孔部７０の縁部７１に当接するので、回動支持軸部品４０２が取付孔部７０への挿入方向に押し出されて抜けないように規制できる。
【０１８５】
係止部品４１０は、図２８〜図３１に示すように、遊技盤３０の平面視で略Ｅノ字状の樹脂成形部品である。具体的には、係止部品４１０は、図２９に示すように、３つの板部４１１が並設されるとともに、それらの板部４１１の挿入方向後端側が連結された形状である。図３１に示すように、遊技盤３０の背面右下視した状態において、右側の係止部品４１０は３つの板部４１１の長さがそれぞれ等しくなっているのに対して、左側の係止部品４１０は、左側の板部４１１の長さがそれ以外の板部４１１よりも短くなっている。
【０１８６】
左側の係止部品４１０は、図３１に示すように、遊技盤３０の背面右下視した状態において、その右側の板部４１１での外側中央上部箇所に、集合通路盤６０に係止する第１係止突起部４１２が形成されている。また、左側の係止部品４１０は、図３１及び図４５に示すように、その真ん中の板部４１１での右側の板部４１１に対向する面での先端箇所に、回動支持軸部品４０２の係止孔４０７ａに係止する第２係止突起部４１３が形成されている。
【０１８７】
右側の係止部品４１０は、図３１に示すように、遊技盤３０の背面右下視した状態において、その右側の板部４１１での外側中央上部箇所に、集合通路盤６０に係止する第１係止突起部が形成されている。また、右側のの係止部品４１０は、図４５での左側の拡大図に示すように、その真ん中の板部４１１での右側の板部４１１に対向する面での中央箇所に回動支持軸部品４０２に係止する第２係止突起部（図４５参照）が形成されている。
【０１８８】
係止部品４１０は、図２８〜図３１に示すように、集合通路盤６０の取付孔部７０での遊技盤３０に近い方から挿入されると、図４５に示すように、端側の板部４１１の先端４１１ａが取付孔部７０内の止め部７２に当接しているため、係止部品４１０が挿入方向に押し出されて抜けないように規制できる。
【０１８９】
スペーサ部２３２は、図３１に示すように、その下部の両端各箇所に、奥行き方向に向かう直線状の溝部２３７がそれぞれ形成されている。この溝部２３７は、その溝を構成する両側壁２３７ａと、その両側壁２３７ａ間に位置し溝底である奥面部２３７ｂと、を備えている。
【０１９０】
また、台部２３１は、図２８及び図２９に示すように、その下部の両端各箇所に、奥行き方向に向かう直線状の溝部２３１ｆがそれぞれ形成されている。この溝部２３１ｆは、回動支持軸部品４０２の直径よりも大きい溝幅であり、図３８（ｃ）に示すように、台部２３１がスペーサ部２３２に取り付けた状態でスペーサ部２３２の溝部２３７と連通しているので、後述するように取付台２３０を反転させた場合に（図４１（ｂ）及び図４３参照）、回動支持軸部品４０２の一部が台部２３１の溝部２３１ｆに位置しており、取付台２３０を１８０度反転した状態とすることができる。
【０１９１】
さらに、この溝部２３７は、図３４に示すように、その溝長さ方向の略中央箇所に、回動支持軸部品４０２の鉤状の回動支持部４０６が掛けられる軸部２３８を備えている。この軸部２３８は、図４２及び図４３に示すように、両側壁２３７ａの所定箇所（側壁２３７ａの長さ方向の略中央箇所で且つ高さ方向の略中央箇所）同士を結ぶ円柱状部材である。
【０１９２】
さらに、回動支持機構部４００は、図２７〜図３１に示すように、取付位置（近接位置）の取付台２３０をその取付姿勢状態で支持する姿勢保持部４０８を備えている。姿勢保持部４０８は、図４０及び図４２に示すように、スペーサ部２３２の溝部２３７の奥面部２３７ｂと、回動支持軸部品４０２の延出部４０５での所定箇所（例えば、回動支持部４０６から屈折部４０７までの箇所）であって溝部２３７の奥面部２３７ｂが載置される載置部４０９と、を備えている。つまり、図４０及び図４２に示すように、取付台２３０が取付位置（近接位置）に位置している状態では、取付台２３０が回動支持軸部品４０２の延出部４０５に乗った状態となっており、図４０に示すように遊技盤３０の側面視で取付台２３０の重心位置が回動支持軸部品４０２上の位置にあるため、取付台２３０が自重で反転してしまうことがない。
【０１９３】
また、回動支持機構部４００は、図２８〜図３１に示すように、回動支持軸部品４０２の鉤状の回動支持部２４６に取り付けられる止め部品４２０（ロック部品）を備えている。図３４（ｃ）に示す止め部品４２０を、図３５（ａ）に示すように回動支持部２４６に取り付けた状態とした上で、図３５（ｂ）に示すように台部２３１をスペーサ部２３２の開口部２３２ｄを塞ぐように取り付けることで、止め部品４２０が台部２３１とスペーサ部２３２とで挟まれた状態となる。
【０１９４】
この止め部品４２０は、図３１に示すように、取付方向視で略Ｔノ字状の形状であり、下向きに突き出て且つ回動支持部２４６が挿入可能な間隔を開けて並設された並設板部４２１を備えている。この並設板部４２１は、その内側に例えば略半球状突起４２２が形成されており、図３５及び図３７に示すように止め部品４２０が回動支持部２４６に取り付けられた状態では、回動支持部２４６の軸案内切り欠き部４０６ａに略半球状突起４２２が係合している。なお、略半球状突起４２２の形状に変えて、円柱状、立方体状など各種の形状の突起を採用してもよい。
【０１９５】
図４０（ａ）に示すように、取付台２３０が取付位置（近接位置）にある場合には、止め部品４２０の略半球状突起４２２が回動支持部２４６の軸案内切り欠き部４０６ａに係合しているため、取付台２３０を反転させる方向に多少の力（この係合を解除するには至らない程度の力）がかかっても取付台２３０が取付位置（近接位置）でその取付姿勢状態が保持されている。
【０１９６】
これに対して、図４０（ｂ）に示すように、取付台２３０が離間位置（引出位置）にある場合には、止め部品４２０の略半球状突起４２２が回動支持部２４６の軸案内切り欠き部４０６ａから外れているため、取付台２３０の手前側箇所に軽く力をかけるだけで、取付台２３０を回動（反転）させることができる。つまり、取付台２３０が離間位置（引出位置）にある場合には、取付台２３０が取付位置（近接位置）にある場合に比べて、回動阻止力が小さくなっている。
【０１９７】
なお、図４０（ａ）に示すように、取付位置（近接位置）にある取付台２３０を回動させようとして、無理に力を加えて止め部品４２０の略半球状突起４２２を回動支持部２４６の軸案内切り欠き部４０６ａから外れさせても、取付台２３０のスペーサ部２３２の上部がその上側に位置する、遊技盤３０の他の部品（例えば、被取付部材４３）に当たるので、取付台２３０の取付位置（近接位置）ではこの取付台２３０が反転することはない。
【０１９８】
また、図５０に示すように、回動支持軸部品４０２の端部４０３が係止部品４１０に挿入されて引き抜き不可に係止された状態では、屈折部４０７での集合通路盤６０に対向する箇所である規制板部４０７ｂが、集合通路盤６０の縁部７１に当接する。この当接状態では、回動支持軸部品４０２の端部４０３が遊技盤３０に対して非接触である。
【０１９９】
なお、上述した回動支持機構部４００が回動支持機構に相当し、上述した回動支持軸部品４０２が回動支持部品に相当し、上述した取付孔部７０が取付部に相当する。また、上述した変位機構部４０１がスライド変位機構部に相当し、上述した姿勢保持部４０８が支持部に相当し、上述した止め部品４２０及び軸案内切り欠き部４０６ａが回動阻止力変更部に相当し、上述した縁部７１が被当接部に相当する。
【０２００】
ここで、取付台２３０及び回動支持機構部４００の組み付け手順について、図３４〜図３７を用いて説明する。
【０２０１】
図３４（ａ）及び図３６（ａ）に示すように、回動支持軸部品４０２の軸案内切り欠き部４０６ａにスペーサ部２３２の軸部２３８が入るように、回動支持軸部品４０２を矢印Ｙ１方向に移動させる。
【０２０２】
続いて、図３４（ａ）及び図３６（ａ）に示すように、回動支持軸部品４０２の軸案内切り欠き部４０６ａにスペーサ部２３２の軸部２３８が挿入された状態で、回動支持軸部品４０２を矢印Ｙ２方向に移動させて、図３４（ｂ）及び図３６（ｂ）に横状態で一点鎖線で示すように、軸案内切り欠き部４０６ａの奥側にスペーサ部２３２の軸部２３８を位置させた状態にする。
【０２０３】
続いて、図３４（ｂ）及び図３６（ｂ）に示すように、横状態で一点鎖線で示された回動支持軸部品４０２を矢印Ｙ３の反時計回りに１８０度回動させることで、回動支持軸部品４０２を図３４（ｂ）及び図３６（ｂ）に実線で示す状態にする。
【０２０４】
続いて、図３４（ｂ）及び図３６（ｂ）に実線で示された回動支持軸部品４０２を、矢印Ｙ４方向に移動させて、図３４（ｃ）及び図３６（ｃ）に示すように、軸案内切り欠き部４０６ａの角部にスペーサ部２３２の軸部２３８を位置させた状態にする。
【０２０５】
そして、図３４（ｃ）及び図３６（ｃ）に示すように、止め部品４２０を、その略半球状突起４２２が回動支持部２４６の軸案内切り欠き部４０６ａに係合するように、矢印Ｙ５方向に移動させて回動支持部２４６に取り付ける。
【０２０６】
続いて、図３５（ａ）及び図３７（ａ）に示すように、スペーサ部２３２の開口部２３２ｄを塞ぐように、台部２３１を矢印Ｙ６の方向に移動させてスペーサ部２３２に取り付ける。この取付状態では、スペーサ部２３２の各係止爪２３２ｂが、台部２３１の係止孔２３１ｂにそれぞれ係止されている。なお、図３５（ｂ）及び図３７（ｂ）に示すように、止め部品４２０が台部２３１とスペーサ部２３２とで挟まれた状態となる。
【０２０７】
そして、図３５（ａ）及び図３７（ａ）に示すように、台部２３１の貫通孔２３１ｄに破断ネジを矢印Ｙ７の方向に挿入してスペーサ部２３２のねじ穴２３２ｃにネジを螺入する。このようにすることで取付台２３０が組み立てられる。なお、破断ネジ以外に、ワンウエイネジを採用してもよい。
【０２０８】
続いて、図３５（ａ）及び図３７（ａ）に示すように、取付台２３０の回動支持軸部品４０２の端部４０３を、集合通路盤６０の取付孔部７０に挿入する。なお、図４５に示すように、取付孔部７０には、その遊技盤３０側の開口から係止部品４１０が挿入された状態としており、図４２に示すように、係止部品４１０の第１係止突起部４１２が、遊技盤３０の背面視において取付孔部７０の右側面箇所の段差部７３に係止されているので、係止部品４１０が取付孔部７０から抜き取ることができないように規制されている。
【０２０９】
図３５（ｂ）及び図３７（ｂ）に示すように、回動支持軸部品４０２の屈折部４０７の係合孔４０７ａに、取付孔部７０内の係止部品４１０の第２係止突起部４１３が係止されているので、回動支持軸部品４０２が取付孔部７０から抜き取ることができないように規制されている。
【０２１０】
このように、回動支持軸部品４０２の係合孔４０７ａに、取付孔部７０内の係止部品４１０の第２係止突起部４１３が係止されると（図３５（ｂ）及び図３７（ｂ）参照）、図４０に示すように、取付台２３０が回動支持軸部品４０２に乗った状態であるので、この取付台２３０を下方向に移動できないし、図４１（ｂ）に示すように、取付台２３０を反転姿勢にしても、取付台２３０の軸部２３８が回動支持軸部品４０２の軸案内切り欠き部４０６ａの奥側に位置しているので、この取付台２３０を回動支持軸部品４０２から取り外せないように規制されている。
【０２１１】
ここで、取付台２３０の反転手順について説明する。
【０２１２】
図３０（ａ）に示すように、取付台２３０に係止されて閉状態となった主制御装置２６１について、取付台２３０の係止爪２３１ａが主制御装置２６１の被係止部２６５から離れる方向にこの係止爪２３１ａに力を加えてそれらの係止を解除し、図３８（ｂ）に示すように、主制御装置２６１を、遊技盤３０の背面視で左端側を軸心として片開き状態にする。
【０２１３】
取付台２３０は、図３０（ｂ）に示すように、取付位置（近接位置）にあり、図４０（ａ）に示すように、回動支持軸部品４０２の軸案内切り欠き部４０６ａの奥側に止め部品４２０の略半球状突起４２２が係合するとともに、取付台２３０の軸部２３８が回動支持軸部品４０２の軸案内切り欠き部４０６ａの角部に位置し、取付台２３０の溝部２３７の奥面部２３７ｂが回動支持軸部品４０２の載置部４０９に載置された状態が維持されている。
【０２１４】
そして、図３８（ｃ）及び図４０（ｂ）に示すように、取付位置（近接位置）にある取付台２３０を引き出して、集合通路盤６０から離れた離間位置（引出位置）にする。
【０２１５】
図４０（ｂ）に示すように、遊技盤３０の側面視において、取付台２３０は離間位置（引出位置）にあり、止め部品４２０の略半球状突起４２２が回動支持軸部品４０２の軸案内切り欠き部４０６ａから外れて引出方向に移動した位置にあるので、取付台２３０の重心位置が引出方向に移動した位置になっている。
【０２１６】
そして、作業者が取付台２３０を回動させるためにこの取付台２３０に軽く力をかけることで、図３９及び図４１に示すように、回動軸Ｊ２周りに回動する。
【０２１７】
そして、図３９（ｂ）及び図４１（ｂ）に示すように、取付台２３０が１８０度反転して、取付台２３０の集合通路盤６０と対向していた面が露わになる。
【０２１８】
なお、取付台２３０を元に戻す場合には上記作業を逆に行えば良い。
【０２１９】
上述したように、本実施例２のパチンコ機１０によれば、遊技球が打ち込まれる遊技領域３０ａが正面側に形成された遊技盤３０と、この遊技盤３０の背面側に配設される取付台２３０と、遊技盤３０の背面視で下部側を回動軸Ｊ２として取付台２３０を回動可能に支持する回動支持機構部４００とを備え、この回動支持機構部４００は、取付台２３０を、遊技盤３０の背面側に取り付けた取付位置（近接位置）と、この取付位置（近接位置）よりも遊技盤３０の背面側から離間させた離間位置（引出位置）とにスライド変位可能な変位機構部４０１と、取付位置（近接位置）の取付台２３０を取付姿勢で支持する姿勢保持部４０８と、取付位置（近接位置）よりも離間位置（引出位置）の方が取付台２３０の回動阻止力を小さくした回動阻止力変更部（止め部品４２０及び軸案内切り欠き部４０６ａ）とを備えている。
【０２２０】
したがって、遊技盤３０は、その正面側に、遊技球が打ち込まれる遊技領域３０ａが形成され、その背面側に取付台２３０が配設される。取付台２３０は、回動支持機構部４００によって、遊技盤３０の背面視で下部側を回動軸Ｊ２として回動可能に支持されている。変位機構部４０１は、取付台２３０を、遊技盤３０の背面側に取り付けた取付位置（近接位置）と、この取付位置（近接位置）よりも前記遊技盤３０の背面側から離間させた離間位置（引出位置）とにスライド変位可能である。姿勢保持部４０８は、取付位置（近接位置）の取付台２３０を取付姿勢で支持するので、取付台２３０の閉状態を保持できる。また、作業者が取付位置（近接位置）の取付台２３０から手を離してもこの取付台２３０が回動することがなく、取付位置（近接位置）の取付台２３０が回動することに起因する取付台２３０及び他の部品（例えば、被取付部材４３）の損傷を低減できる。
【０２２１】
さらに、取付台２３０の回動阻止力は、取付台２３０が取付位置（近接位置）にあるときよりも離間位置（引出位置）にあるときの方が小さいので、離間位置（引出位置）では取付位置（近接位置）よりも小さい力で取付台２３０を回動させることができ、取付台２３０を離間位置（引出位置）に移動させて当該離間位置（引出位置）で回動させる方が取付位置（近接位置）よりも回動させ易く、取付台２３０を容易に開状態にできる。その結果、取付台２３０の閉状態を保持できつつ、取付台２３０を容易に開状態にできる遊技機を提供することができる。
【０２２２】
また、変位機構部４０１は、取付台２３０を、離間位置（引出位置）から遊技盤３０の背面側の取付位置（近接位置）に変位させるので、取付位置（近接位置）の取付台２３０と遊技盤３０の背面側との間の隙間を低減することができ、かかる隙間を狙った不正行為を低減することができる。
【０２２３】
また、取付台２３０を離間位置（引出位置）に移動させてから回動させるので、取付台２３０を例えば上下方向に回動させる構成の場合に、取付位置（近接位置）にある取付台２３０の上側に他の部品（例えば、被取付部材４３）を近接配置したり、取付位置（近接位置）にある取付台２３０の下側に他の部品を近接配置したりすることができ、取付位置（近接位置）の取付台２３０の上側又は下側の隙間を低減することができ、上側又は下側の隙間を狙った不正行為も低減することができる。また、取付台２３０を例えば左右方向に回動させる構成の場合に、取付位置（近接位置）にある取付台２３０の左側に他の部品を近接配置したり、取付位置（近接位置）にある取付台２３０の右側に他の部品を近接配置したりすることができ、取付位置（近接位置）の取付台２３０の左側又は右側の隙間を低減することができ、左側又は右側の隙間を狙った不正行為も低減することができる。
【０２２４】
また、回動支持機構部４００は、遊技盤３０の背面視で下部側を回動軸Ｊ２として取付台２３０を回動可能に支持する。離間位置（引出位置）の取付台２３０は、遊技盤３０の側面視において、その重心位置が引出方向に移動した位置になっているので、回動させ易くできる。また、重心位置が回動軸Ｊ２よりも回動側（遊技盤３０背面の後方位置）に位置している場合には、その自重によって回動させることができ、さらに回動させ易くできる。
【０２２５】
また、回動支持軸部品４０２の端部４０３が係止部品４１０に挿入されて引き抜き不可に係止された状態では、屈折部４０７での集合通路盤６０に対向する箇所である規制板部４０７ｂが、集合通路盤６０の縁部７１に当接する。この当接状態では、回動支持軸部品４０２の端部４０３が遊技盤３０に対して非接触としている。したがって、取付台２３０が取付位置（近接位置）に勢い良くスライドされた場合に、その力が集合通路盤６０の縁部７１に伝達されるだけで、回動支持軸部品４０２の端部４０３が遊技盤３０の背面に当接することが低減でき、回動支持軸部品４０２の端部４０３による遊技盤３０の損傷を低減できる。
【０２２６】
上述したように、本実施例２のパチンコ機１０によれば、遊技球が打ち込まれる遊技領域３０ａが正面側に形成された遊技盤３０と、この遊技盤３０の背面側に配設される取付台２３０と、遊技盤３０の背面視で下部側を回動軸Ｊ２として取付台２３０を回動可能に支持する回動支持機構部４００とを備えている。
【０２２７】
したがって、遊技盤３０は、その正面側に、遊技球が打ち込まれる遊技領域が形成され、その背面側に取付台２３０が配設される。取付台２３０は、回動支持機構部４００によって、遊技盤３０の背面視で下部側を回動軸Ｊ２として回動可能に支持されているので、遊技盤３０の背面視で左端または右端箇所に回動支持機構部４００が位置することがなく、遊技盤３０の正面視で遊技領域の左端及び右端箇所にも役物（例えば入賞部品など）を配設することができ、役物の設計自由度を拡大できる。
【０２２８】
また、取付台２３０は、その高さよりも長い横幅方向が回動軸Ｊ２方向として回動されるので、回動支持機構部４００などの撓みを低減でき、撓みに起因する取付台２３０の回動し辛さや取付台２３０などの破損を低減できる。その結果、役物の設計自由度を向上でき且つ取付台２３０の破損を低減できるパチンコ機１０（遊技機）を提供することができる。
【０２２９】
また、回動支持機構部４００は、取付台２３０を遊技盤３０の背面側に取り付けた取付位置（近接位置）と、取付台２３０をその取付位置（近接位置）よりも遊技盤３０の背面側から離間させた離間位置（引出位置）とに変位可能な変位機構部４０１を備え、離間位置（引出位置）の取付台２３０を回動可能である。したがって、変位機構部４０１は、取付台２３０を、離間位置（引出位置）から遊技盤３０の背面側の取付位置（近接位置）に変位させるので、取付位置（近接位置）の取付台２３０と遊技盤３０の背面側との間の隙間を低減することができ、かかる隙間を狙った不正行為を低減することができる。
【０２３０】
また、取付台２３０を離間位置（引出位置）に移動させてから回動させるので、取付台２３０を上下方向に回動させる構成下においても、取付位置（近接位置）にある取付台２３０の上側に他の部品（例えば、被取付部材４３）を近接配置したり、取付位置（近接位置）にある取付台２３０の下側に他の部品を近接配置したりすることができ、取付位置（近接位置）の取付台２３０の上側又は下側の隙間を低減することができ、上側又は下側の隙間を狙った不正行為も低減することができる。
【０２３１】
また、主制御装置２６１は、遊技盤３０の背面側で取付位置（近接位置）の取付台２３０に係止された閉状態となるので、主制御装置２６１と取付台２３０との間に不正な部品などが入れられた場合には、主制御装置２６１を取付台２３０に対して閉状態にすることができない。よって、主制御装置２６１と取付台２３０との間に不正な部品などが入れられる不正行為を低減することができる。
【０２３２】
また、遊技盤３０の背面に取り付けられる集合通路盤６０を備え、取付台２３０は、取付位置（近接位置）において集合通路盤６０での遊技盤３０と対向する側とは反対側に近接しており、回動支持機構部４００は、取付台２３０を回動支持するための回動支持軸部品４０２と、この回動支持軸部品４０２の端部４０３が挿入されて引き抜き不可に当該端部４０３と係止する係止部品４１０と、集合通路盤６０に形成されて、集合通路盤６０での遊技盤３０と対向する側から係止部品４１０が挿入されて当該係止部品４１０を止める取付孔部７０と、を備えている。
【０２３３】
したがって、遊技盤３０の背面には、集合通路盤６０が取り付けられ、取付位置（近接位置）の取付台２３０は、集合通路盤６０の遊技盤３０と対向する側とは反対側に近接している。取付台２３０を回動支持するための回動支持軸部品４０２の端部４０３は、集合通路盤６０の取付孔部７０に挿入されて止められた係止部品４１０に、挿入されて引き抜けないように係止されているので、取付台２３０が回動支持機構部４００の回動支持軸部品４０２ごと引き抜かれることを低減でき、取付台２３０に対する不正行為を低減できる。
【０２３４】
また、取付台２３０を集合通路盤６０から取り外したい場合には、取付台２３０を集合通路盤６０ごと遊技盤３０から取り外し、この集合通路盤６０の取付孔部７０に挿入された係止部品４１０を破壊することで、取付台２３０を回動支持軸部品４０２ごと集合通路盤６０から取り外すことができる。また、取付台２３０を集合通路盤６０に再度装着する場合には、新たに用意した係止部品４１０を集合通路盤６０の取付孔部７０に挿入し、取付台２３０の回動支持軸部品４０２の端部４０３を取付孔部７０の係止部品４１０に挿入して係止すればよく、集合通路盤６０を再利用することができる。
【０２３５】
また、回動支持機構部４００は、取付位置（近接位置）の取付台２３０をその取付姿勢状態を保持する姿勢保持部４０８を備えている。したがって、姿勢保持部４０８は、取付位置（近接位置）の取付台２３０をその取付姿勢状態で保持できるので、主制御装置２６１を、取付位置（近接位置）の取付台２３０に係止された閉状態にする際に、作業者は、取付位置（近接位置）の取付台２３０を手で押さえておく必要がなく、取付位置（近接位置）の取付台２３０から手を離して主制御装置２６１を閉じれば良いので、作業性に優れる。
【０２３６】
また、遊技盤３０の背面視で集合通路盤６０における取付台２３０よりも外側の箇所に、取付孔部７０を設けているので、集合通路盤６０の取付孔部７０に係止される回動支持軸部品４０２の端部４０３の係止位置を遊技盤３０の背面視で周縁位置とすることができ、役物の遊技盤３０への配設箇所制限を低減できる。また、回動支持軸部品４０２の延出部２４５は、その端部４０３が取付孔部７０に向かうように屈折した屈折部２４７を備えているので、延出部２４５を直線状とした場合に比べて、延出部２４５の剛性を高めることができ、取付台２３０の撓みを低減できる。
【実施例３】
【０２３７】
次に、実施例３のパチンコ機１０について図４６〜図５０を用いて説明する。図４６は、実施例３の遊技盤３０の正面右上から見た分解斜視図である。図４７（ａ），（ｂ）は、回動支持機構部４００の組み立て手順を示す一部破断斜視図である。図４８（ａ），（ｂ）は、図４７に続いての組み立て手順を示す一部破断斜視図である。図４９（ａ），（ｂ）は、回動支持機構部４００の組み立て手順を示す要部縦断面図である。図５０（ａ），（ｂ）は、図４９に続いての組み立て手順を示す要部縦断面である。
【０２３８】
実施例３の回動支持機構部４００は、前述の実施例２において別部品であった止め部品４２０を台部２３１に一体的に形成した止め部２３５を当該台部２３１に備えている点が、前述の実施例２とは異なっている。したがって、本実施例３では、前述の実施例２とは異なる構成（台部２３１の止め部２３５）について詳細に説明する。
【０２３９】
実施例３の取付台２３０は、実施例２と同様に、図４６及び図４８に示すように、台部２３１の下部側両端箇所に溝部２３７が形成され、スペーサ部２３２の下部側両端箇所に溝部２３１ｆが形成されている。
【０２４０】
図４６に示すように、スペーサ部２３２は、そのスペーサ部２３２と対向する側で溝部２３１ｆの周囲箇所に、止め部２３５を備えている。止め部２３５は、図４６に示すように、溝部２３１ｆの溝幅間隔と同じ間隔を空けて並設されて、且つ、その両側壁方向に突出した一対の突板部４２６を備えている。この一対の突板部４２６は、図４６に示すように、その対向面箇所で向かい合うように、略半球状突起４２７が形成されている。なお、略半球状突起４２７の形状に変えて、円柱状、立方体状など各種の形状の突起を採用してもよい。
【０２４１】
図４８（ｂ）及び図５０（ｂ）に示すように、取付台２３０の回動支持軸部品４０２の端部４０３が集合通路盤６０の取付孔７０に挿入されて当該取付台２３０が取付位置（近接位置）に位置しているときには、止め部２３５の略半球状突起４２７は、回動支持軸部品４０２の軸案内切り欠き部４０６ａの奥側に係合した状態となる。
【０２４２】
ここで、取付台２３０及び回動支持機構部４００の組み付け手順について、図４７〜図５０を用いて説明する。
【０２４３】
図４７（ａ）及び図４９（ａ）に示すように、回動支持軸部品４０２の軸案内切り欠き部４０６ａにスペーサ部２３２の軸部２３８が入るように、回動支持軸部品４０２を矢印Ｙ１方向に移動させる。
【０２４４】
続いて、図４７（ａ）及び図４９（ａ）に示すように、回動支持軸部品４０２の軸案内切り欠き部４０６ａにスペーサ部２３２の軸部２３８が挿入された状態で、回動支持軸部品４０２を矢印Ｙ２方向に移動させて、図４７（ｂ）及び図４９（ｂ）に横状態で一点鎖線で示すように、軸案内切り欠き部４０６ａの奥側にスペーサ部２３２の軸部２３８を位置させた状態にする。
【０２４５】
続いて、図４７（ｂ）及び図４９（ｂ）に示すように、横状態で一点鎖線で示された回動支持軸部品４０２を矢印Ｙ３の反時計回りに１８０度回動させることで、回動支持軸部品４０２を図４７（ｂ）及び図４９（ｂ）に実線で示す状態にする。
【０２４６】
続いて、図４７（ｂ）及び図４９（ｂ）に実線で示された回動支持軸部品４０２を、矢印Ｙ４方向に移動させて、図４８（ａ）及び図５０（ａ）に示すように、軸案内切り欠き部４０６ａの角部にスペーサ部２３２の軸部２３８を位置させた状態にする。
【０２４７】
そして、図４８（ａ）及び図５０（ａ）に示すように、止め部４２５を、その略半球状突起４２７が回動支持部２４６の軸案内切り欠き部４０６ａに係合するようにして、回動支持部２４６に取り付ける。
【０２４８】
続いて、図４８（ａ）及び図５０（ａ）に示すように、スペーサ部２３２の開口部２３２ｄを塞ぐように、台部２３１を矢印Ｙ５の方向に移動させてスペーサ部２３２に取り付ける。
【０２４９】
そして、図４８（ａ）及び図５０（ａ）に示すように、台部２３１の貫通孔２３１ｄに破断ネジを矢印Ｙ６の方向に挿入してスペーサ部２３２のねじ穴２３２ｃにネジを螺入する。このようにすることで取付台２３０が組み立てられる。なお、破断ネジ以外に、ワンウエイネジを採用してもよい。
【０２５０】
続いて、図４８（ａ）及び図５０（ａ）に示すように、取付台２３０の回動支持軸部品４０２の端部４０３を、集合通路盤６０の取付孔部７０に挿入する。
【０２５１】
図４８（ｂ）及び図５０（ｂ）に示すように、回動支持軸部品４０２の屈折部４０７の係合孔４０７ａに、取付孔部７０内の係止部品４１０の第２係止突起部４１３が係止され、取付台２３０が回動支持軸部品４０２に乗った状態である。
【０２５２】
上述したように、本実施例３のパチンコ機１０によれば、止め部４２５を台部２３１に一定的に設けているので、部品点数を低減でき、実施例２の止め部品４２０の取り付け忘れなどを低減できる。
【０２５３】
この発明は、上記実施形態に限られることはなく、同様の効果を奏する別の構成としてもよく、例えば下記のように変形実施することができる。
【０２５４】
＜１＞上述した各実施例では、配設部品として取付台２３０を例に挙げて説明しているが、配設部品として、サブ制御装置２６２や払出制御装置３１１などの取付台を採用してもよいし、取付台２３０ではなく主制御装置２６１やサブ制御装置２６２や払出制御装置３１１を配設部品としてもよい。
【０２５５】
＜２＞上述した各実施例では、開閉部品として主制御装置２６１を例に挙げて説明しているが、開閉部品として、サブ制御装置２６２や払出制御装置３１１などの各種部品・装置を採用してもよい。
【０２５６】
＜３＞上述した実施例１では、回動支持軸部品２４２と係止する係止部品２５０を、上述した実施例２，３では、回動支持軸部品２４２と係止する係止部品４１０を、別部品として集合通路盤６０の取付孔部６１に挿入しているが、集合通路盤６０の取付孔部６１，７０に、回動支持軸部品２４２と係止する係止部を一体的に形成するようにしてもよい。
【０２５７】
＜４＞木製（例えば、合板）の不透明な遊技盤３０を採用しているが、透明樹脂製の透明遊技盤を採用してもよい。また、一部が少なくとも透明な遊技盤を採用し、その遊技盤の背面側で透明部分を含む箇所に集合通路盤６０を取り付けるようにしてもよい。
【０２５８】
＜５＞各実施例では、取付台２３０を樹脂成形品としているが、金属製部品としてもよい。また、取付台２３０での少なくとも支持部分（例えば、スペーサ部２３２の切り欠き部２３３や、台部２３１での回動支持軸部品２４２と接触する箇所など）を金属製部材を用いてもよい。
【０２５９】
＜６＞実施例１では、回動支持軸部品２４２の端部２４３が係止部品２５０の折れ曲がり爪部２５３に係止された状態を解除するために、取付台２３０を集合通路盤６０ごと取り外した後に、係止部品２５０を破壊しているが、集合通路盤６０が、端部２４３を取付孔部６１から引き抜き可能にする手段（係止解除操作レバーなど）を備えている構成としても良い。この場合には、係止解除操作レバーを解除位置に操作することで、端部２４３が取付孔部６１から引き抜き可能となる。
【０２６０】
また、係止部品２５０の係止状態においてその一部が外部に露出しており、係止部品２５０の当該露出箇所を破壊することで、その係止状態の解除ができ、端部２４３が取付孔部６１から引き抜き可能となる構成としてもよい。
【０２６１】
また、係止部品２５０を集合通路盤６０と遊技盤３０との間に隠し、係止部品２５０に対して外部からのアクセスができない構成とし、集合通路盤６０を遊技盤３０から取り外して係止部品２５０にアクセスできるようにし、係止部品２５０の係止を解除し、端部２４３が取付孔部６１から引き抜き可能となる構成としてもよい。係止部品２５０は再利用可能となる。
【０２６２】
＜７＞本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特定遊技状態となるパチンコ機として実施してもよい。また、球が所定の入賞口に入ることで特定遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２６３】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０２６４】
なお、本明細書は、次のような遊技機に係る発明も開示している。
【０２６５】
（１）  遊技球が打ち込まれる遊技領域が正面側に形成される遊技部品を備える遊技機において、
前記遊技部品の背面側に配設される配設部品と、
前記遊技部品の背面視で当該背面内の所定方向を回動軸として前記配設部品を回動可能に支持する回動支持機構と、
を備え、
前記回動支持機構は、
前記配設部品を、前記遊技部品の背面側に取り付けた取付位置と、この取付位置よりも前記遊技部品の背面側から離間させた離間位置とにスライド変位可能なスライド変位機構部と、
前記取付位置の前記配設部品を取付姿勢で支持する支持部と、
前記取付位置よりも前記離間位置の方が前記配設部品の回動阻止力を小さくした回動阻止力変更部と
を備えていることを特徴とする遊技機。
【０２６６】
前記（１）に記載の発明によれば、遊技部品は、その正面側に、遊技球が打ち込まれる遊技領域が形成され、その背面側に配設部品が配設される。配設部品は、回動支持機構によって、遊技部品の背面視で当該背面内の所定方向を回動軸として回動可能に支持されている。スライド変位機構部は、配設部品を、遊技部品の背面側に取り付けた取付位置と、この取付位置よりも前記遊技部品の背面側から離間させた離間位置とにスライド変位可能である。支持部は、取付位置の配設部品を取付姿勢で支持するので、配設部品の閉状態を保持できる。また、作業者が取付位置の配設部品から手を離してもこの配設部品が回動することがなく、取付位置の配設部品が回動することに起因する配設部品及び他の部品の損傷を低減できる。
【０２６７】
さらに、配設部品の回動阻止力は、配設部品が取付位置にあるときよりも離間位置にあるときの方が小さいので、離間位置では取付位置よりも小さい力で配設部品を回動させることができ、配設部品を離間位置に移動させて当該離間位置で回動させる方が取付位置よりも回動させ易く、配設部品を容易に開状態にできる。その結果、配設部品の閉状態を保持できつつ、配設部品を容易に開状態にできる遊技機を提供することができる。
【０２６８】
また、スライド変位機構部は、配設部品を、離間位置から遊技部品の背面側の取付位置に変位させるので、取付位置の配設部品と遊技部品の背面側との間の隙間を低減することができ、かかる隙間を狙った不正行為を低減することができる。
【０２６９】
また、配設部品を離間位置に移動させてから回動させるので、配設部品を例えば上下方向に回動させる構成の場合に、取付位置にある配設部品の上側に他の部品を近接配置したり、取付位置にある配設部品の下側に他の部品を近接配置したりすることができ、取付位置の配設部品の上側又は下側の隙間を低減することができ、上側又は下側の隙間を狙った不正行為も低減することができる。また、配設部品を例えば左右方向に回動させる構成の場合に、取付位置にある配設部品の左側に他の部品を近接配置したり、取付位置にある配設部品の右側に他の部品を近接配置したりすることができ、取付位置の配設部品の左側又は右側の隙間を低減することができ、左側又は右側の隙間を狙った不正行為も低減することができる。
【０２７０】
また、遊技部品の背面視で配設部品の横幅方向を回動軸方向として回動させる場合には、回動支持機構は、遊技部品の背面視で配設部品の下部側において当該配設部品の重心を挟む両側で配設部品を支持したり、回動軸長さを長くしたり（具体的には、例えば配設部品をその下部側の全部あるいは大半にわたって支持したり、配設部品の下部側を支持する複数個の支持ポイント間の距離を長くしたりする）することで、回動支持機構等の撓み（回動軸方向が曲がる変形）を低減でき、撓みに起因する配設部品の回動し辛さや配設部品などの破損を低減できる。その結果、役物の設計自由度を向上でき且つ配設部品（例えば制御装置）の破損を低減できる遊技機を提供することができる。また、遊技部品の背面視で横長の配設部品をその横幅方向を回動軸方向として回動させる場合には、回動支持機構は、遊技部品の背面視で配設部品の下部側において当該配設部品の重心を挟む両側で配設部品を支持したり、回動軸長さを長くしたり（具体的には、例えば配設部品をその下部側の全部あるいは大半にわたって支持したり、配設部品の下部側を支持する複数個の支持ポイント間の距離を長くしたりする）することで、より安定して支持することができる。
【０２７１】
また、配設部品としては、制御基板を収容した基板ボックスと遊技盤との間に設けられる部品であって、その間に他の不正な部品を設けられないように当該間のスペースを低減するスペーサ部品を採用することが可能である。例えば、スペーサ部品は、部品の取り付けや取り外しの利便性等を確保するために、遊技盤の背面においてその横幅にわたる大きさで一体的に配設されることが多い。このように大きなスペーサ部品は重心が不安定になり易いが、スペーサ部品をその下部側で回動支持するので、スペーサ部品の取り付けバランスを良くすることができる。また、遊技盤の前側に配設される遊技部品の形状は機種毎に異なるが、遊技盤の背面でその左右端部箇所を回動軸として支持する構成としておけば、色々な機種変更に対しても同じ回動支持機構で対応することができる。
【０２７２】
なお、「基板ボックスと遊技盤との間のスペースを低減する」とは、基板ボックスと遊技盤との間のスペースを、内部が詰まった立体物（例えば板部材）で埋めることや、例えば格子形状の区分け部材で当該スペースを区分けすることを含む。
【０２７３】
また、配設部品としては、基板ボックスを定位置に固定支持する固定支持手段を設けた部品を採用してもよい。この場合には、より大型にしたり、強度を増したりすることで、重みの増した部品となったとしても、遊技盤の背面視で下部側を回動軸として配設部品の下部側を回動支持することで、安定して配設部品を取り付けることができる。結果として、配設部品の背面に取り付けられる基板ボックスも安定した状態で支持することができる。
【０２７４】
また、遊技領域から遊技盤の背面に案内される球流路と、この球流路に配設されて遊技球の通過を検出する球検出センサとを覆う覆い部材としてもよい。このような覆い部材は、不正の目的で撓ませて球検出センサ等を狙った不正操作がなされるおそれがあるため、頑丈にする必要がある。覆い部材を頑丈にすることでその重みが増したりしたとしても、覆い部材の下部側を回動支持しているので、覆い部材を安定した状態で支持することができる。
【０２７５】
また、回動軸が取付位置の配設部品においてその背面に近い側に位置し、配設部品が取付位置から離間位置にスライド移動して、離間位置の配設部品がその下部側を回動軸として回動するので、配設部品と遊技盤との間のスペースを低減でき、そのスペースに不正部品を配設するという不正行為を低減できるとともに、配設部品の回動の際に配設部位が当該配設部品の上部に近接する他の部品に干渉するという問題も解消できる。
【０２７６】
また、離間位置の配設部品をその下部側を回動軸として戻し方向に回動させてから、配設部品を取付位置にスライド移動しているので、取付位置の配設部品と遊技盤との間や、取付位置の配設部品とその周囲で近接する他の部品との間のスペースを低減でき、不正対策に優れる。例えば、配設部品を前述した覆い部材（球流路と球検出センサとを覆う部品）とした場合には、球検出センサやその周囲の配線等への不正を目的として配設部品と遊技盤との間に不正部品を進入させることが低減できる。
【０２７７】
また、配設部品を取付位置で回動させると、当該配設部品の上端部がさらに上方に変移するような構成（例えば、遊技部品の側面視において、回動軸が、取付位置の配設部品での遊技部品から遠い位置にある構成）の場合であっても、配設部品を取付位置から離間位置にスライド移動させてから、離間位置の配設部品がその下部側を回動軸として回動することで、前述と同様の効果を有する。
【０２７８】
また、回動支持機構と配設部品との少なくとも支持部分を金属製としてもよい。この場合には、不正対策に優れるのみならず、配設部品などが重くなったとしても、配設部品の下部側で当該配設部品を回動支持できるので、回動支持機構等の撓みを低減できる。
【０２７９】
（２）  前記（１）に記載の遊技機において、
前記回動支持機構は、前記遊技部品の背面視で下部側を回動軸として前記配設部品を回動可能に支持するものであり、
前記離間位置の前記配設部品は、前記遊技部品の側面視において、その重心位置が前記回動軸よりも前記遊技部品の後方位置に位置している
ことを特徴とする遊技機。
【０２８０】
前記（２）に記載の発明によれば、回動支持機構は、遊技部品の背面視で下部側を回動軸として配設部品を回動可能に支持する。離間位置の配設部品は、遊技部品の側面視において、その重心位置が回動軸よりも遊技部品の後方位置に位置しているので、その自重によって回動させることができ、さらに回動させ易くできる。
【０２８１】
（３）  前記（２）に記載の遊技機において、
前記遊技部品の背面に取り付けられる取付部品を備え、
前記配設部品は、前記取付位置において前記取付部品での前記遊技部品と対向する側とは反対側に近接しており、
前記回動支持機構は、
前記配設部品を回動支持するための回動支持部品と、
前記取付部品に設けられた、前記回動支持部品の端部が挿入されて引き抜き不可に当該端部と係止する係止部と、
を備えていることを特徴とする遊技機。
【０２８２】
前記（３）に記載の発明によれば、遊技部品の背面には、取付部品が取り付けられている。取付位置の配設部品は、取付部品の遊技部品と対向する側とは反対側に近接している。配設部品を回動支持するための回動支持部品の端部は、取付部品の係止部に挿入されて引き抜けないように係止されているので、配設部品が回動支持機構の回動支持部品ごと引き抜かれることを低減でき、配設部品に対する不正行為を低減できる。
【０２８３】
また、取付部品の係止部を破壊して配設部品を取付部品から取り外すと、係止部が破壊された取付部品に対して配設部品を再度装着することができないので、配設部品を取付部品から取り外すことを低減でき、配設部品に対する不正行為を低減できる。
【０２８４】
例えば、係止部が回動支持部品の端部に係止した状態において、係止部または配設部品を破壊しなければその係止状態を解除できない構成としたり、この係止部が配設部品と遊技盤との間に隠れてしまい外部からの係止解除が抑制されている構成としたり、引き抜き可能にする手段（係止解除操作部（操作レバー）など）を操作しなければ係止解除できない構成としたりすることで、当該端部を引き抜き不可としてもよい。
【０２８５】
（４）  前記（２）に記載の遊技機において、
前記遊技部品の背面に取り付けられる取付部品を備え、
前記配設部品は、前記取付位置において前記取付部品での前記遊技部品と対向する側とは反対側に近接しており、
前記回動支持機構は、
前記配設部品を回動支持するための回動支持部品と、
前記回動支持部品の端部が挿入されて引き抜き不可に当該端部と係止する係止部品と、
前記取付部品に形成されて、前記取付部品での前記遊技部品と対向する側から前記係止部品が挿入されて当該係止部品を止める取付部と、
を備えていることを特徴とする遊技機。
【０２８６】
前記（４）に記載の発明によれば、遊技部品の背面には、取付部品が取り付けられている。取付位置の配設部品は、取付部品の遊技部品と対向する側とは反対側に近接している。配設部品を回動支持するための回動支持部品の端部は、取付部品の取付部に挿入されて止められた係止部品に、挿入されて引き抜けないように係止されているので、配設部品が回動支持機構の回動支持部品ごと引き抜かれることを低減でき、配設部品に対する不正行為を低減できる。
【０２８７】
また、配設部品を取付部品から取り外したい場合には、配設部品を取付部品ごと遊技部品から取り外し、この取付部品の取付部に挿入された係止部品を破壊することで、配設部品を回動支持部品ごと取付部品から取り外すことができる。また、配設部品を取付部品に再度装着する場合には、新たに用意した係止部品を取付部品の取付部に挿入し、配設部品の回動支持部品の端部を取付部の係止部品に挿入して係止すればよく、取付部品を再利用することができる。
【０２８８】
例えば、係止部品が回動支持部品の端部に係止した状態において、係止部品または配設部品を破壊しなければその係止状態を解除できない構成としたり、この係止部品が配設部品と遊技盤との間に隠れてしまい外部からの係止解除が抑制されている構成としたり、引き抜き可能にする手段（係止解除操作部（操作レバー）など）を操作しなければ係止解除できない構成としたりすることで、当該端部を引き抜き不可としてもよい。
【０２８９】
（５）  前記（３）または（４）に記載の遊技機において、
前記遊技部品の背面視で前記取付部品における前記配設部品よりも外側の箇所に、前記係止部又は前記取付部が設けられ、
前記回動支持部品は、前記取付部品に向かう延出部を備え、
前記延出部は、前記配設部品に近い側に当該配設部品を回動支持する回動支持部を備え、前記取付部品に近い側に前記端部が形成され、前記端部が前記係止部又は前記取付部に向かうように屈折した屈折部を備えている
ことを特徴とする遊技機。
【０２９０】
前記（５）に記載の発明によれば、遊技部品の背面視で取付部品における配設部品よりも外側の箇所に、係止部又は取付部を設けているので、取付部品の係止部又は取付部に係止される回動支持部品の端部の係止位置を遊技部品の背面視で周縁位置とすることができ、役物の遊技部品への配設箇所制限を低減できる。また、回動支持部品の延出部は、その端部が係止部又は取付部に向かうように屈折した屈折部を備えているので、屈折部を有する延出部と長さが同一で且つ一直線状の延出部の場合に比べて、延出部の剛性を高めることができ、配設部品の撓みを低減できる。
【０２９１】
（６）  前記（５）に記載の遊技機において、
前記取付部品は、前記回動支持部品の端部が前記係止部または前記係止部品に挿入されて引き抜き不可に係止された状態において、前記屈折部での前記取付部品に対向する箇所が当接する被当接部を備え、
前記屈折部での前記取付部品に対向する箇所が前記被当接部に当接した状態において、前記回動支持部品の端部が前記遊技部品に対して非接触としている
ことを特徴とする遊技機。
【０２９２】
前記（６）に記載の発明によれば、回動支持部品の端部が係止部または係止部品に挿入されて引き抜き不可に係止された状態では、屈折部での取付部品に対向する箇所が、取付部品の被当接部に当接する。この当接状態では、回動支持部品の端部が遊技部品に対して非接触としている。したがって、配設部品が取付位置に勢い良くスライドされた場合に、その力が取付部品の被当接部に伝達されるだけで、回動支持部品の端部が遊技部品の背面に当接することが低減でき、回動支持部品の端部による遊技部品の損傷を低減できる。
【０２９３】
（７）  前記（１）から（６）のいずれか一つに記載の遊技機において、
前記遊技機はパチンコ機であることを特徴とする遊技機。
【０２９４】
前記（６）に記載の遊技機によれば、配設部品の閉状態を保持できつつ、配設部品を容易に開状態にできるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２９５】
＜第１課題＞
前述した従来のパチンコ機では、例えば制御装置を回動可能に支持する回動支持部品（例えばヒンジ）を遊技盤の背面視で左端箇所に配設されているので、遊技盤正面視で遊技領域の右端箇所に役物（例えば入賞部品など）を配設することができず、役物の設計自由度が制限されているという問題がある。
【０２９６】
そこで、回動支持部品（例えばヒンジ）をその支持軸方向に短くすることで遊技盤背面での回動支持部品の占有面積を低減して前述の役物の配設制限を緩和することが考えられるが、制御装置の横幅に比べて回動支持部品（例えばヒンジ）の軸方向長さ（縦長さ）が小さくなり、回動支持部品などが撓んでしまい、制御装置が回動し辛くなったり、撓んだ状態で制御装置を回動することで制御装置などが破損するという別異の問題が生じてしまう。
【０２９７】
以下の発明は、このような事情等に鑑みてなされたものであって、役物の設計自由度を向上でき且つ配設部品の破損を低減できる遊技機を提供することを目的とする。
【０２９８】
（８）  遊技球が打ち込まれる遊技領域が正面側に形成される遊技部品を備える遊技機において、
前記遊技部品の背面側に配設される配設部品と、
前記遊技部品の背面視で下部側を回動軸として前記配設部品を回動可能に支持する回動支持機構と、
を備えていることを特徴とする遊技機。
【０２９９】
前記（８）に記載の発明によれば、遊技部品は、その正面側に、遊技球が打ち込まれる遊技領域が形成され、その背面側に配設部品が配設される。配設部品は、回動支持機構によって、遊技部品の背面視で下部側を回動軸として回動可能に支持されているので、遊技部品の背面視で左端または右端箇所に回動支持機構が位置することがなく、遊技部品の正面視で遊技領域の左端及び右端箇所にも役物（例えば入賞部品など）を配設することができ、役物の設計自由度を拡大できる。
【０３００】
また、遊技部品の背面視で配設部品の横幅方向を回動軸方向として回動させる場合には、回動支持機構は、遊技部品の背面視で配設部品の下部側において当該配設部品の重心を挟む両側で配設部品を支持したり、回動軸長さを長くしたり（具体的には、例えば配設部品をその下部側の全部あるいは大半にわたって支持したり、配設部品の下部側を支持する複数個の支持ポイント間の距離を長くしたりする）することで、回動支持機構等の撓み（回動軸方向が曲がる変形）を低減でき、撓みに起因する配設部品の回動し辛さや配設部品などの破損を低減できる。その結果、役物の設計自由度を向上でき且つ配設部品（例えば制御装置）の破損を低減できる遊技機を提供することができる。また、遊技部品の背面視で横長の配設部品をその横幅方向を回動軸方向として回動させる場合には、回動支持機構は、遊技部品の背面視で配設部品の下部側において当該配設部品の重心を挟む両側で配設部品を支持したり、回動軸長さを長くしたり（具体的には、例えば配設部品をその下部側の全部あるいは大半にわたって支持したり、配設部品の下部側を支持する複数個の支持ポイント間の距離を長くしたりする）することで、より安定して支持することができる。
【０３０１】
また、配設部品としては、制御基板を収容した基板ボックスと遊技盤との間に設けられる部品であって、その間に他の不正な部品を設けられないように当該間のスペースを低減するスペーサ部品を採用することが可能である。例えば、スペーサ部品は、部品の取り付けや取り外しの利便性等を確保するために、遊技盤の背面においてその横幅にわたる大きさで一体的に配設されることが多い。このように大きなスペーサ部品は重心が不安定になり易いが、スペーサ部品をその下部側で回動支持するので、スペーサ部品の取り付けバランスを良くすることができる。また、遊技盤の前側に配設される遊技部品の形状は機種毎に異なるが、遊技盤の背面でその左右端部箇所を回動軸として支持する構成としておけば、色々な機種変更に対しても同じ回動支持機構で対応することができる。
【０３０２】
なお、「基板ボックスと遊技盤との間のスペースを低減する」とは、基板ボックスと遊技盤との間のスペースを、内部が詰まった立体物（例えば板部材）で埋めることや、例えば格子形状の区分け部材で当該スペースを区分けすることを含む。
【０３０３】
また、配設部品としては、基板ボックスを定位置に固定支持する固定支持手段を設けた部品を採用してもよい。この場合には、より大型にしたり、強度を増したりすることで、重みの増した部品となったとしても、遊技盤の背面視で下部側を回動軸として配設部品の下部側を回動支持することで、安定して配設部品を取り付けることができる。結果として、配設部品の背面に取り付けられる基板ボックスも安定した状態で支持することができる。
【０３０４】
また、遊技領域から遊技盤の背面に案内される球流路と、この球流路に配設されて遊技球の通過を検出する球検出センサとの少なくとも一方を覆う覆い部材としてもよい。このような覆い部材は、不正の目的で撓ませて球検出センサ等を狙った不正操作がなされるおそれがあるため、頑丈にする必要がある。覆い部材を頑丈にすることでその重みが増したりしたとしても、覆い部材の下部側を回動支持しているので、覆い部材を安定した状態で支持することができる。
【０３０５】
（９）  前記（８）に記載の遊技機において、
前記回動支持機構は、前記配設部品を前記遊技部品の背面側に取り付けた取付位置と、前記配設部品をその取付位置よりも前記遊技部品の背面側から離間させた離間位置とに変位可能な変位機構部を備え、前記離間位置の前記配設部品を前記回動可能である
ことを特徴とする遊技機。
【０３０６】
前記（９）に記載の発明によれば、変位機構部は、配設部品を、離間位置から遊技部品の背面側の取付位置に変位させるので、取付位置の配設部品と遊技部品の背面側との間の隙間を低減することができ、かかる隙間を狙った不正行為を低減することができる。
【０３０７】
また、配設部品を離間位置に移動させてから回動させるので、配設部品を上下方向に回動させる構成下においても、取付位置にある配設部品の上側に他の部品を近接配置したり、取付位置にある配設部品の下側に他の部品を近接配置したりすることができ、取付位置の配設部品の上側又は下側の隙間を低減することができ、上側又は下側の隙間を狙った不正行為も低減することができる。
【０３０８】
また、回動軸が取付位置の配設部品においてその背面に近い側に位置し、配設部品が取付位置から離間位置にスライド移動して、離間位置の配設部品がその下部側を回動軸として回動するので、配設部品と遊技盤との間のスペースを低減でき、そのスペースに不正部品を配設するという不正行為を低減できるとともに、配設部品の回動の際に配設部位が当該配設部品の上部に近接する他の部品に干渉するという問題も解消できる。
【０３０９】
また、離間位置の配設部品をその下部側を回動軸として戻し方向に回動させてから、配設部品を取付位置にスライド移動しているので、取付位置の配設部品と遊技盤との間や、取付位置の配設部品とその周囲で近接する他の部品との間のスペースを低減でき、不正対策に優れる。例えば、配設部品を前述した覆い部材（球流路と球検出センサとを覆う部品）とした場合には、球検出センサやその周囲の配線等への不正を目的として配設部品と遊技盤との間に不正部品を進入させることが低減できる。
【０３１０】
また、配設部品を取付位置で回動させると、当該配設部品の上端部がさらに上方に変移するような構成（例えば、遊技部品の側面視において、回動軸が、取付位置の配設部品での遊技部品から遠い位置にある構成）の場合であっても、配設部品を取付位置から離間位置にスライド移動させてから、離間位置の配設部品がその下部側を回動軸として回動することで、前述と同様の効果を有する。
【０３１１】
また、回動支持機構と配設部品との少なくとも支持部分を金属製としてもよい。この場合には、不正対策に優れるのみならず、配設部品などが重くなったとしても、配設部品の下部側で当該配設部品を回動支持できるので、回動支持機構等の撓みを低減できる。
【０３１２】
（１０）  前記（９）に記載の遊技機において、
前記遊技部品の背面側で開閉軸周りに開閉される部品であって、前記取付位置の前記配設部品に係止された閉状態と、前記取付位置の前記配設部品との係止が解除されて当該配設部品から開かれた開状態とに開閉可能な開閉部品
を備えていることを特徴とする遊技機。
【０３１３】
前記（１０）に記載の発明によれば、開閉部品は、遊技部品の背面側で取付位置の配設部品に係止された閉状態となるので、開閉部品と配設部品との間に不正な部品などが入れられた場合には、開閉部品を配設部品に対して閉状態にすることができない。よって、開閉部品と配設部品との間に不正な部品などが入れられる不正行為を低減することができる。
【０３１４】
（１１）  前記（９）または（１０）に記載の遊技機において、
前記遊技部品の背面に取り付けられる取付部品を備え、
前記配設部品は、前記取付位置において前記取付部品での前記遊技部品と対向する側とは反対側に近接しており、
前記回動支持機構は、
前記配設部品を回動支持するための回動支持部品と、
前記取付部品に設けられた、前記回動支持部品の端部が挿入されて引き抜き不可に当該端部と係止する係止部と、
を備えていることを特徴とする遊技機。
【０３１５】
前記（１１）に記載の発明によれば、遊技部品の背面には、取付部品が取り付けられている。取付位置の配設部品は、取付部品の遊技部品と対向する側とは反対側に近接している。配設部品を回動支持するための回動支持部品の端部は、取付部品の係止部に挿入されて引き抜けないように係止されているので、配設部品が回動支持機構の回動支持部品ごと引き抜かれることを低減でき、配設部品に対する不正行為を低減できる。
【０３１６】
また、取付部品の係止部を破壊して配設部品を取付部品から取り外すと、係止部が破壊された取付部品に対して配設部品を再度装着することができないので、配設部品を取付部品から取り外すことを低減でき、配設部品に対する不正行為を低減できる。
【０３１７】
例えば、係止部が回動支持部品の端部に係止した状態において、係止部または配設部品を破壊しなければその係止状態を解除できない構成としたり、この係止部が配設部品と遊技盤との間に隠れてしまい外部からの係止解除が抑制されている構成としたり、引き抜き可能にする手段（係止解除操作部（操作レバー）など）を操作しなければ係止解除できない構成としたりすることで、当該端部を引き抜き不可としてもよい。
【０３１８】
（１２）  前記（９）または（１０）に記載の遊技機において、
前記遊技部品の背面に取り付けられる取付部品を備え、
前記配設部品は、前記取付位置において前記取付部品での前記遊技部品と対向する側とは反対側に近接しており、
前記回動支持機構は、
前記配設部品を回動支持するための回動支持部品と、
前記回動支持部品の端部が挿入されて引き抜き不可に当該端部と係止する係止部品と、
前記取付部品に形成されて、前記取付部品での前記遊技部品と対向する側から前記係止部品が挿入されて当該係止部品を止める取付部と、
を備えていることを特徴とする遊技機。
【０３１９】
前記（１２）に記載の発明によれば、遊技部品の背面には、取付部品が取り付けられている。取付位置の配設部品は、取付部品の遊技部品と対向する側とは反対側に近接している。配設部品を回動支持するための回動支持部品の端部は、取付部品の取付部に挿入されて止められた係止部品に、挿入されて引き抜けないように係止されているので、配設部品が回動支持機構の回動支持部品ごと引き抜かれることを低減でき、配設部品に対する不正行為を低減できる。
【０３２０】
また、配設部品を取付部品から取り外したい場合には、配設部品を取付部品ごと遊技部品から取り外し、この取付部品の取付部に挿入された係止部品を破壊することで、配設部品を回動支持部品ごと取付部品から取り外すことができる。また、配設部品を取付部品に再度装着する場合には、新たに用意した係止部品を取付部品の取付部に挿入し、配設部品の回動支持部品の端部を取付部の係止部品に挿入して係止すればよく、取付部品を再利用することができる。
【０３２１】
例えば、係止部品が回動支持部品の端部に係止した状態において、係止部品または配設部品を破壊しなければその係止状態を解除できない構成としたり、この係止部品が配設部品と遊技盤との間に隠れてしまい外部からの係止解除が抑制されている構成としたり、引き抜き可能にする手段（係止解除操作部（操作レバー）など）を操作しなければ係止解除できない構成としたりすることで、当該端部を引き抜き不可としてもよい。
【０３２２】
（１３）  前記（１１）または（１２）に記載の遊技機において、
前記回動支持機構は、前記取付位置の前記配設部品をその取付姿勢状態を保持する姿勢保持部を備えている
ことを特徴とする遊技機。
【０３２３】
前記（１３）に記載の発明によれば、姿勢保持部は、取付位置の配設部品をその取付姿勢状態で保持できるので、開閉部品を、取付位置の配設部品に係止された閉状態にする際に、作業者は、取付位置の配設部品を手で押さえておく必要がなく、取付位置の配設部品から手を離して開閉部品を閉じることができ、作業性に優れる。
【０３２４】
（１４）  前記（１１）から（１３）のいずれか一つに記載の遊技機において、
前記遊技部品の背面視で前記取付部品における前記配設部品よりも外側の箇所に、前記係止部又は前記取付部が設けられ、
前記回動支持部品は、前記取付部品に向かう延出部を備え、
前記延出部は、前記配設部品に近い側に当該配設部品を回動支持する回動支持部を備え、前記取付部品に近い側に前記端部が形成され、前記端部が前記係止部又は前記取付部に向かうように屈折した屈折部を備えている
ことを特徴とする遊技機。
【０３２５】
前記（１４）に記載の発明によれば、遊技部品の背面視で取付部品における配設部品よりも外側の箇所に、係止部又は取付部を設けているので、取付部品の係止部又は取付部に係止される回動支持部品の端部の係止位置を遊技部品の背面視で周縁位置とすることができ、役物の遊技部品への配設箇所制限を低減できる。また、回動支持部品の延出部は、その端部が係止部又は取付部に向かうように屈折した屈折部を備えているので、屈折部を有する延出部と長さが同一で且つ一直線状の延出部の場合に比べて、延出部の剛性を高めることができ、配設部品の撓みを低減できる。
【０３２６】
（１５）  前記（８）から（１４）のいずれか一つに記載の遊技機において、
前記遊技機はパチンコ機であることを特徴とする遊技機。
【０３２７】
前記（１５）に記載の遊技機によれば、役物の設計自由度を向上でき且つ配設部品（例えば制御装置）の破損を低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３２８】
なお、本明細書に開示する種々の発明に関して、全ての構成要素について種々の組み合わせが可能であり、他の構成要件がなくても単独で発明として成立する点に留意されたい。
【産業上の利用可能性】
【０３２９】
以上のように、この発明は、パチンコ機等の遊技機に適している。
【符号の説明】
【０３３０】
３０  …遊技盤（遊技部品）
６０  …集合通路盤（取付部品）
６１  …取付孔（取付部）
７１  …縁部（被当接部）
２３０  …取付台（配設部品）
２３３  …切り欠き部（回動阻止力変更部）
２３５  …保持突起部（回動阻止力変更部）
２４０  …回動支持機構部（回動支持機構）
２４１  …変位機構部（スライド変位機構部）
２４２  …回動支持軸部品（回動支持部品）
２４５  …延出部
２４６  …回動支持部
２４７  …屈折部
２４８  …姿勢保持部（支持部）
２５０  …係止部品
２６１  …主制御装置（開閉部品）
４００  …回動支持機構部（回動支持機構）
４０１  …変位機構部（スライド変位機構部）
４０２  …回動支持軸部品（回動支持部品）
４０５  …延出部
４０６  …回動支持部
４０７  …屈折部
４０８  …姿勢保持部（支持部）
４１０  …係止部品
４０６ａ…軸案内切り欠き部（回動阻止力変更部）
４２０  …止め部品（回動阻止力変更部）
【図１】
0005413187.tif 000002
【図２】
0005413187.tif 000003
【図３】
0005413187.tif 000004
【図４】
0005413187.tif 000005
【図５】
0005413187.tif 000006
【図６】
0005413187.tif 000007
【図７】
0005413187.tif 000008
【図８】
0005413187.tif 000009
【図９】
0005413187.tif 000010
【図１０】
0005413187.tif 000011
【図１１】
0005413187.tif 000012
【図１２】
0005413187.tif 000013
【図１３】
0005413187.tif 000014
【図１４】
0005413187.tif 000015
【図１５】
0005413187.tif 000016
【図１６】
0005413187.tif 000017
【図１７】
0005413187.tif 000018
【図１８】
0005413187.tif 000019
【図１９】
0005413187.tif 000020
【図２０】
0005413187.tif 000021
【図２１】
0005413187.tif 000022
【図２２】
0005413187.tif 000023
【図２３】
0005413187.tif 000024
【図２４】
0005413187.tif 000025
【図２５】
0005413187.tif 000026
【図２６】
0005413187.tif 000027
【図２７】
0005413187.tif 000028
【図２８】
0005413187.tif 000029
【図２９】
0005413187.tif 000030
【図３０】
0005413187.tif 000031
【図３１】
0005413187.tif 000032
【図３２】
0005413187.tif 000033
【図３３】
0005413187.tif 000034
【図３４】
0005413187.tif 000035
【図３５】
0005413187.tif 000036
【図３６】
0005413187.tif 000037
【図３７】
0005413187.tif 000038
【図３８】
0005413187.tif 000039
【図３９】
0005413187.tif 000040
【図４０】
0005413187.tif 000041
【図４１】
0005413187.tif 000042
【図４２】
0005413187.tif 000043
【図４３】
0005413187.tif 000044
【図４４】
0005413187.tif 000045
【図４５】
0005413187.tif 000046
【図４６】
0005413187.tif 000047
【図４７】
0005413187.tif 000048
【図４８】
0005413187.tif 000049
【図４９】
0005413187.tif 000050
【図５０】
0005413187.tif 000051